(57)【特許請求の範囲】
【請求項１】
無線通信システムにおいて端末によって行われ、下りリンク信号を復号する方法であって、
基地局（Base Station；ＢＳ）から、反復周期を有するレートマッチングリソースに関するレートマッチングパターン情報を受信するステップと、
前記レートマッチングパターン情報に基づいて、下りリンク共有チャネルを復号するステップと、を有し、
前記レートマッチングパターン情報は、周波数リソース領域を表す第１のビットマップ及び時間リソース領域を表す第２のビットマップを有し、
前記レートマッチングパターン情報は、前記反復周期内の複数の時間ユニット（unit）のうち、前記第１のビットマップ及び前記第２のビットマップで表されたレートマッチングパターンが設定される１つ又は複数の時間ユニットを表す第３のビットマップを有する、下りリンク信号復号方法。
【請求項２】
前記レートマッチングリソースに対してレートマッチングを行うステップをさらに有する、請求項１に記載の下りリンク信号復号方法。
【請求項３】
前記第２のビットマップは、予め決定されたリソース単位内の連続したシンボルの各々を表す、請求項１に記載の下りリンク信号復号方法。
【請求項４】
前記レートマッチングパターン情報は、前記下りリンク共有チャネルのための領域でのみ使用される、請求項１に記載の下りリンク信号復号方法。
【請求項５】
前記下りリンク共有チャネルのための領域は、前記下りリンク共有チャネルの開始シンボル又は前記下りリンク共有チャネルの終了シンボルに関する情報を有する信号によって設定される、請求項４に記載の下りリンク信号復号方法。
【請求項６】
無線通信システムにおいて基地局によって行われ、下りリンク信号を送信する方法であって、
端末（User Equipment；ＵＥ）に、反復周期を有するレートマッチングリソースに関するレートマッチングパターン情報を送信するステップと、
前記レートマッチングパターン情報に基づいて、下りリンク共有チャネルのためのリソース要素マッピングを行うステップと、
前記下りリンク共有チャネルを送信するステップと、を有し、
前記レートマッチングパターン情報は、周波数リソース領域を表す第１のビットマップ及び時間リソース領域を表す第２のビットマップを有し、
前記レートマッチングパターン情報は、前記反復周期内の複数の時間ユニット（unit）のうち、前記第１のビットマップ及び前記第２のビットマップで表されたレートマッチングパターンが設定される１つ又は複数の時間ユニットを表す第３のビットマップを有する、下りリンク信号送信方法。
【請求項７】
前記レートマッチングリソースに対してレートマッチングが行われる、請求項６に記載の下りリンク信号送信方法。
【請求項８】
前記第２のビットマップは、予め決定されたリソース単位内の連続したシンボルの各々を表す、請求項６に記載の下りリンク信号送信方法。
【請求項９】
前記レートマッチングパターン情報は、前記下りリンク共有チャネルのための領域でのみ使用される、請求項６に記載の下りリンク信号送信方法。
【請求項１０】
前記下りリンク共有チャネルのための領域は、前記下りリンク共有チャネルの開始シンボル又は前記下りリンク共有チャネルの終了シンボルに関する情報を有する信号によって設定される、請求項９に記載の下りリンク信号送信方法。
【請求項１１】
無線通信システムにおいて、下りリンク信号を復号する端末であって、
送信器及び受信器と、
前記送信器及び受信器を制御する少なくとも１つのプロセッサと、を有し、
前記プロセッサは、
前記受信器が、基地局（Base Station；ＢＳ）から、反復周期を有するレートマッチングリソースに関するレートマッチングパターン情報を受信するように制御し、
前記レートマッチングパターン情報に基づいて、下りリンク共有チャネルを復号し、
前記レートマッチングパターン情報は、周波数リソース領域を表す第１のビットマップ及び時間リソース領域を表す第２のビットマップを有し、
前記レートマッチングパターン情報は、前記反復周期内の複数の時間ユニット（unit）のうち、前記第１のビットマップ及び前記第２のビットマップで表されたレートマッチングパターンが設定される１つ又は複数の時間ユニットを表す第３のビットマップを有する、端末。
【請求項１２】
無線通信システムにおいて、下りリンク信号を送信する基地局（Base Station；ＢＳ）であって、
送信器及び受信器と、
前記送信器及び受信器を制御するプロセッサと、を有し、
前記プロセッサは、
前記送信器が、端末（User Equipment；ＵＥ）に、反復周期を有するレートマッチングリソースに関するレートマッチングパターン情報を送信するように制御し、
前記レートマッチングパターン情報に基づいて、下りリンク共有チャネルのためのリソース要素マッピングを行い、
前記送信器が、前記下りリンク共有チャネルを送信するように制御し、
前記レートマッチングパターン情報は、周波数リソース領域を表す第１のビットマップ及び時間リソース領域を表す第２のビットマップを有し、
前記レートマッチングパターン情報は、前記反復周期内の複数の時間ユニット（unit）のうち、前記第１のビットマップ及び前記第２のビットマップで表されたレートマッチングパターンが設定される１つ又は複数の時間ユニットを表す第３のビットマップを有する、基地局。
【発明の詳細な説明】
【技術分野】
【０００１】
本発明は、無線通信システムに関し、具体的には、下りリンク信号を受信又は送信する方法及びそのための装置に関する。
【背景技術】
【０００２】
多数の通信機器がより大きな通信容量を要求することにより、既存の無線アクセス（接続）技術（Radio Access Technology；ＲＡＴ）に比べて向上したモバイルブロードバンド通信の必要性が高まっている。また、多数の機器及びモノを接続（連結）して（connecting）いつでもどこでも多様なサービスを提供する大規模（massive）ＭＴＣ（Machine Type Communications）も次世代通信において考慮すべき主要な論点（イッシュ）（issues）である。また、信頼度（reliability）及び遅延（latency）にセンシティブ（敏感）な（sensitive）サービス／を考慮した通信デザインが論議されている。このように、ｅＭＢＢ（enhanced Mobile Broadband Communication）、大規模ＭＴＣ（massive MTC；ｍＭＴＣ）、ＵＲＬＬＣ（Ultra-Reliable and Low Latency Communication）などを考慮した次世代ＲＡＴの導入が論議されており、本発明では、便宜のために、当該技術をニューラット（New RAT）と呼ぶ。
【発明の概要】
【発明が解決しようとする課題】
【０００３】
本発明は、下りリンク信号の受信又は送信のための方式（方案）を提案しようとする。より詳細には、基地局又は端末のレートマッチングに関する設定（構成）（configuration）、このシグナリング及びこれによる下りリンク信号の受信又は送信のための方式を提案しようとする。
【０００４】
本発明が遂げようとする技術的課題は、以上で言及した技術的課題に制限されず、言及していない他の技術的課題は、以下の発明の詳細な説明から本発明が属する技術分野における通常の知識を有する者には明確に理解されるであろう。
【課題を解決するための手段】
【０００５】
本発明の一実施例による無線通信システムにおいて、下りリンク信号を復号する方法であって、この方法は、端末によって行われ、基地局から、反復周期を有するレートマッチングリソースを指示するレートマッチングパターン情報を受信するステップと、レートマッチングパターン情報を用いて、下りリンク共有チャネルを復号するステップと、を有することができる。
【０００６】
追加又は代案として、レートマッチングパターンに関する情報は、周波数リソース領域を指示する第１のビットマップ及び時間リソース領域を指示する第２のビットマップを有し、反復周期内の複数の時間ユニット（unit）のうち、第１のビットマップ及び第２のビットマップで指示されたレートマッチングパターンが設定される１つ又は複数の時間ユニットを指示する第３のビットマップを有することができる。
【０００７】
追加又は代案として、方法は、レートマッチングリソースに対してレートマッチングを行うステップをさらに有することができる。
【０００８】
追加又は代案として、第２のビットマップは、予め決定されたリソース単位内の連続したシンボルの各々を指示することができる。
【０００９】
追加又は代案として、レートマッチングパターン情報は、下りリンク共有チャネルのための領域でのみ使用されることができる。
【００１０】
追加又は代案として、下りリンク共有チャネルのための領域は、下りリンク共有チャネルの開始シンボル又は終了シンボルを指示する信号によって設定されることができる。
【００１１】
本発明の別の一実施例による無線通信システムにおいて、下りリンク信号を送信する方法であって、この方法は、基地局によって行われ、反復周期を有するレートマッチングリソースを指示するレートマッチングパターン情報を端末に送信するステップと、レートマッチングパターン情報に基づいて、下りリンク共有チャネルのためのリソース要素マッピングを行うステップと、下りリンク共有チャネルを送信するステップと、を有することができる。
【００１２】
追加又は代案として、レートマッチングパターンに関する情報は、周波数リソース領域を指示する第１のビットマップ及び時間リソース領域を指示する第２のビットマップを有し、反復周期内の複数の時間ユニット（unit）のうち、第１のビットマップ及び第２のビットマップで指示されたレートマッチングパターンが設定される１つ又は複数の時間ユニットを指示する第３のビットマップを有することができる。
【００１３】
追加又は代案として、レートマッチングリソースに対してレートマッチングが行われることができる。
【００１４】
追加又は代案として、第２のビットマップは、予め決定されたリソース単位内の連続したシンボルの各々を指示することができる。
【００１５】
追加又は代案として、レートマッチングパターン情報は、下りリンク共有チャネルのための領域でのみ使用されることができる。
【００１６】
追加又は代案として、下りリンク共有チャネルのための領域は、下りリンク共有チャネルの開始シンボル又は終了シンボルを指示する信号によって設定されることができる。
【００１７】
本発明のさらに別の一実施例による無線通信システムにおいて、下りリンク信号を復号する端末であって、送信器及び受信器と、送信器及び受信器を制御するように構成されたプロセッサと、を有し、プロセッサは、受信器によって、基地局から、反復周期を有するレートマッチングリソースを指示するレートマッチングパターン情報を受信し、レートマッチングパターン情報を用いて、下りリンク共有チャネルを復号することができる。
【００１８】
追加又は代案として、レートマッチングパターンに関する情報は、周波数リソース領域を指示する第１のビットマップ及び時間リソース領域を指示する第２のビットマップを有し、反復周期内の複数の時間ユニット（unit）のうち、第１のビットマップ及び第２のビットマップで指示されたレートマッチングパターンが設定される１つ又は複数の時間ユニットを指示する第３のビットマップを有することができる。
【００１９】
本発明のさらに別の一実施例による無線通信システムにおいて、下りリンク信号を送信する方法であって、この方法は、基地局によって行われ、送信器及び受信器と、送信器及び受信器を制御するように構成されたプロセッサと、を有し、プロセッサは、反復周期を有するレートマッチングリソースを指示するレートマッチングパターン情報を端末に送信し、レートマッチングパターン情報に基づいて、下りリンク共有チャネルのためのリソース要素マッピングを行い、下りリンク共有チャネルを送信することができる。
【００２０】
追加又は代案として、レートマッチングパターンに関する情報は、周波数リソース領域を指示する第１のビットマップ及び時間リソース領域を指示する第２のビットマップを有し、反復周期内の複数の時間ユニット（unit）のうち、第１のビットマップ及び第２のビットマップで指示されたレートマッチングパターンが設定される１つ又は複数の時間ユニットを指示する第３のビットマップを有することができる。
【００２１】
上記の課題解決方法は、本発明の実施例の一部に過ぎず、当該技術の分野における通常の知識を有する者であれば、本願発明の技術的特徴が反映された様々な実施例を、以下に説明する本発明の詳細な説明から導出できるであろう。
【発明の効果】
【００２２】
本発明によれば、端末の下りリンク受信を効率的に行うことができる。
【００２３】
本発明で得られる効果は、以上で言及した効果に制限されず、言及しなかった他の効果は、下記の記載から本発明が属する当該技術分野における当業者に明確に理解されるであろう。
【図面の簡単な説明】
【００２４】
【図１】無線通信システムで用いられる無線フレームの構造を例示する図である。
【図２】無線通信システムにおいて下りリンク／上りリンク（ＤＬ／ＵＬ）スロット構造の一例を示す図である。
【図３】３ＧＰＰ  ＬＴＥ／ＬＴＥ−Ａシステムで用いられる下りリンク（DownLink，ＤＬ）サブフレームの構造を例示する図である。
【図４】３ＧＰＰ  ＬＴＥ／ＬＴＥ−Ａシステムで用いられる上りリンク（UpLink，ＵＬ）サブフレームの構造を例示する図である。
【図５】ＺＰ−ＣＳＩ−ＲＳリソースとの共有リソースセッティング（設定）（setting）を有するレートマッチングセッティングを示す図である。
【図６】ＺＰ−ＣＳＩ−ＲＳリソース設定と独立したリソースセッティングを有するレートマッチングセッティングを示す図である。
【図７】測定セッティング内に含まれたレートマッチングのためのＺＰ−ＣＳＩ−ＲＳ設定を示す図である。
【図８】リソースセッティングにレートマッチングセッティングが割り当てられた例を示す図である。
【図９】要素ＲＭリソース（component RM resource）の例を示す図である。
【図１０】ＲＭパターンのためのシンボル位置に関する例を示す図である。
【図１１】１つのＲＢ内でＲＭＲ又はＲＭＲパターンを指示するリソースグリッド及びそれを表現するために必要なビット数を示す図である。
【図１２】１つのＲＥのリソースグリッド要素サイズと２つのＲＥのリソースグリッド要素サイズとを示す図である。
【図１３】１つのスロットにおける２つの領域に設定されたリソースグリッド要素設定を示す図である。
【図１４】異なるリソースグリッド要素サイズによるＲＭリソースグリッドを示す図である。
【図１５】１つのスロットにおいてＲＭリソースを指示するための周波数リソース領域のためのビットマップ及び時間リソース領域のためのビットマップを例示する図である。
【図１６】ＲＭサブセットパターンを例示する図である。
【図１７】反復リソースブロックで構成されたＲＭリソースグリッドを示す図である。
【図１８】本発明の一実施例によるレートマッチングのための制御情報のペイロードの例を示す図である。
【図１９】本発明の一実施例によるレートマッチングのための制御情報のペイロードの例を示す図である。
【図２０】本発明の一実施例によるレートマッチングのための制御情報のペイロードの例を示す図である。
【図２１】本発明の一実施例によるレートマッチングのための制御情報のペイロードの例を示す図である。
【図２２】本発明の一実施例によるレートマッチングのための制御情報のペイロードの例を示す図である。
【図２３】本発明の一実施例によるレートマッチングのための制御情報のペイロードの例を示す図である。
【図２４】本発明の一実施例によるレートマッチングのための制御情報のペイロードの例を示す図である。
【図２５】本発明の一実施例によるレートマッチングのための制御情報のペイロードの例を示す図である。
【図２６】本発明の一実施例によるレートマッチングのための制御情報のペイロードの例を示す図である。
【図２７】本発明の実施例を具現するための装置のブロック図である。
【発明を実施するための形態】
【００２５】
本発明に関する理解を助けるために詳細な説明の一部として含まれる添付図面は、本発明に関する実施例を提供し、詳細な説明と共に本発明の技術的思想を説明する。
【００２６】
以下、本発明に係る好適な実施形態を、添付の図面を参照して詳しく説明する。添付の図面と共に以下に開示される詳細な説明は、本発明の例示的な実施形態を説明するためのものであり、本発明が実施し得る唯一の実施形態を示すためのものではない。以下の詳細な説明は、本発明の完全な理解を提供するために具体的な細部事項を含む。しかしながら、当業者にとってはこのような具体的な細部事項無しでも本発明を実施できることは明らかである。
【００２７】
場合によっては、本発明の概念が曖昧になることを避けるために、公知の構造及び装置を省略したり、各構造及び装置の中核機能を中心にしたブロック図の形式で示すことができる。また、本明細書全体にわたって同一の構成要素については、同一の図面符号を付して説明する。
【００２８】
本発明において、ユーザ機器（User Equipment，ＵＥ）は、固定していても、モビリティ（移動性）を有し（mobile）ていてもよいもので、基地局（Base Station，ＢＳ）と通信してユーザデータ及び／又は各種制御情報を送受信する各種機器を含む。ＵＥを、端末（Terminal Equipment）、ＭＳ（Mobile Station）、ＭＴ（Mobile Terminal）、ＵＴ（User Terminal）、ＳＳ（Subscribe Station）、無線機器（wireless device）、ＰＤＡ（Personal Digital Assistant）、無線モデム（wireless modem）、携帯機器（handheld device）などと呼ぶこともできる。また、本発明において、ＢＳは、一般に、ＵＥ及び／又は他のＢＳと通信する固定局（fixed station）を意味し、ＵＥ及び他のＢＳと通信して各種データ及び制御情報を交換する。ＢＳを、ＡＢＳ（Advanced Base Station）、ＮＢ（Node-B）、ｅＮＢ（evolved-NodeB）、ＢＴＳ（Base Transceiver System）、アクセスポイント（Access Point）、ＰＳ（Processing Server）、送信ポイント（Transmission Point；ＴＰ）などと呼ぶこともできる。以下の本発明に関する説明では、ＢＳをｅＮＢと総称する。
【００２９】
本発明におけるノード（node）とは、ユーザ機器と通信して無線信号を送信／受信できる固定したポイント（地点）（point）を指す。様々な形態のｅＮＢをその名称にかかわらずノードとして用いることができる。例えば、ＢＳ、ＮＢ、ｅＮＢ、ピコセルｅＮＢ（ＰｅＮＢ）、ホームｅＮＢ（ＨｅＮＢ）、リレー、リピータなどをノードとすることができる。また、ノードは、ｅＮＢでなくてもよい。例えば、無線リモートヘッド（Radio Remote Head，ＲＲＨ）、無線リモートユニット（Radio Remote Unit，ＲＲＵ）であってもよい。ＲＲＨ、ＲＲＵなどは、一般にｅＮＢの電力レベル（power level）よりも低い電力レベルを有する。ＲＲＨ又はＲＲＵ（以下、ＲＲＨ／ＲＲＵ）は、一般に、光ケーブルなどの専用回線（dedicated line）でｅＮＢに接続されており、よって、一般に無線回線で接続されているｅＮＢによる協調通信に比べて、ＲＲＨ／ＲＲＵとｅＮＢとによる協調通信を円滑に行うことができる。１つのノードには、少なくとも１つのアンテナが設置される。このアンテナは、物理アンテナを意味することもでき、アンテナポート、仮想アンテナ、又はアンテナグループを意味することもできる。ノードは、ポイント（point）と呼ばれることもある。アンテナが基地局に集中して位置して１つのｅＮＢコントローラ（controller）によって制御される既存の（conventional）中央集中型アンテナシステム（Centralized Antenna System，ＣＡＳ）（すなわち、単一ノードシステム）と違い、マルチ（多重）ノードシステム（multi-node system）において、複数のノードは、一般に一定間隔以上離れて位置する。これらの複数のノードは、各ノードの動作を制御したり、各ノードを通して送／受信されるデータをスケジューリング（scheduling）する１つ又は複数のｅＮＢ又はｅＮＢコントローラによって管理することができる。各ノードは、当該ノードを管理するｅＮＢ又はｅＮＢコントローラと、ケーブル（cable）又は専用回線（dedicated line）で接続することができる。マルチノードシステムにおいて、複数のノードへの／からの信号の送信／受信には、同一のセル識別子（IDentity，ＩＤ）が用いられてもよく、異なるセルＩＤが用いられてもよい。複数のノードが同一のセルＩＤを有すると、これらの複数のノードのそれぞれは、１つのセルにおける１つ（一部）のアンテナグループ（集団）（group）のように動作する。マルチノードシステムにおいて、ノードが互いに異なるセルＩＤを有すると、このようなマルチノードシステムをマルチセル（例えば、マクロセル／フェムトセル／ピコセル）システムと見なすことができる。複数のノードのそれぞれが形成したマルチセルが、カバレッジによってオーバーレイする形態で構成されると、これらのマルチセルが形成したネットワークを特にマルチレイヤ（多重−階層）（multi-tier）ネットワークと呼ぶ。ＲＲＨ／ＲＲＵのセルＩＤとｅＮＢのセルＩＤとは同一であっても、異なってもよい。ＲＲＨ／ＲＲＵとｅＮＢとが互いに異なるセルＩＤを用いる場合、ＲＲＨ／ＲＲＵとｅＮＢとは、いずれも独立した基地局として動作する。
【００３０】
以下に説明する本発明のマルチノードシステムにおいて、複数のノードに接続した１つ又は複数のｅＮＢ又はｅＮＢコントローラが、上記複数のノードの一部又は全てを介してＵＥに同時に信号を送信又は受信するように、上記複数のノードを制御することができる。各ノードの実体、各ノードの具現の形態などによって、マルチノードシステム間には差異があるが、複数のノードが共に所定の時間−周波数リソース上でＵＥに通信サービスを提供するために参加するという点で、これらのマルチノードシステムは、単一ノードシステム（例えば、ＣＡＳ、従来のＭＩＭＯシステム、従来の中継システム、従来のリピータシステムなど）とは異なる。そのため、複数のノードの一部又は全てを用いてデータ協調送信を行う方法に関する本発明の実施例は、種々のマルチノードシステムに適用可能である。例えば、ノードとは、通常、他のノードと一定間隔以上で離れて位置しているアンテナグループを指すが、後述する本発明の実施例は、ノードが間隔にかかわらずに任意のアンテナグループを意味する場合にも適用可能である。例えば、Ｘ−ｐｏｌ（Cross polarized）アンテナを備えたｅＮＢの場合、該ｅＮＢが、Ｈ−ｐｏｌアンテナで構成されたノードとＶ−ｐｏｌアンテナで構成されたノードとを制御すると見なし、本発明の実施例を適用することができる。
【００３１】
複数の送信（Ｔｘ）／受信（Ｒｘ）ノードを介して信号を送信／受信したり、複数の送信／受信ノードから選択された少なくとも１つのノードを介して信号を送信／受信したり、下りリンク信号を送信するノードと上りリンク信号を受信するノードとを別にし得る通信技法を、マルチ（多重）ｅＮＢ  ＭＩＭＯ又はＣｏＭＰ（Coordinated Multi-Point TX/RX）という。このようなノード間協調通信のうち、協調送信技法は、ＪＰ（Joint Processing）とスケジューリング協調（scheduling coordination）とに区別（categorized into）できる。前者は、ＪＴ（Joint Transmission）／ＪＲ（Joint Reception）とＤＰＳ（Dynamic Point Selection）とに区別し（divided into）、後者は、ＣＳ（Coordinated Scheduling）とＣＢ（Coordinated Beamforming）とに区別できる。ＤＰＳは、ＤＣＳ（Dynamic Cell Selection）と呼ぶこともできる。他の協調通信技法に比べて、ノード間協調通信技法のうちＪＰを行うとき、より様々な通信環境を形成することができる。ＪＰにおいて、ＪＴは、複数のノードが同一のストリームをＵＥに送信する通信技法をいい、ＪＲは、複数のノードが同一のストリームをＵＥから受信する通信技法をいう。当該ＵＥ／ｅＮＢは、上記複数のノードから受信した信号を合成して上記ストリームを復元する。ＪＴ／ＪＲでは、同一のストリームが複数のノードから／に送信されるため、送信ダイバーシチ（diversity）によって信号送信の信頼度を向上させることができる。ＪＰのＤＰＳは、複数のノードから特定の規則によって選択された１つのノードを介して信号が送信／受信される通信技法をいう。ＤＰＳでは、通常、ＵＥとノードとの間のチャネル状態の良いノードが通信ノードとして選択されるはずであるため、信号送信の信頼度を向上させることができる。
【００３２】
本発明におけるセル（cell）とは、１つ又は複数のノードが通信サービスを提供する一定の地理的領域をいう。そのため、本発明において特定のセルと通信するということは、特定のセルに通信サービスを提供するｅＮＢ又はノードと通信することを意味できる。また、特定のセルの下りリンク／上りリンク信号は、該特定のセルに通信サービスを提供するｅＮＢ又はノードからの／への下りリンク／上りリンク信号を意味する。ＵＥに上り／下りリンク通信サービスを提供するセルを特にサービングセル（serving cell）という。また、特定のセルのチャネル状態／品質は、該特定のセルに通信サービスを提供するｅＮＢ又はノードとＵＥとの間に形成されたチャネル又は通信リンクのチャネル状態／品質を意味する。３ＧＰＰ  ＬＴＥ（ＬＥＴ）−Ａベースのシステムにおいて、ＵＥは、特定のノードからの下りリンクチャネル状態を、上記特定のノードのアンテナポートが上記特定のノードに割り当てられたチャネルＣＳＩ−ＲＳ（Channel State Information Reference Signal）リソース上で送信するＣＳＩ−ＲＳを用いて測定することができる。一般に、隣接するノードは、互いに直交するＣＳＩ−ＲＳリソース上で該当のＣＳＩ−ＲＳリソースを送信する。ＣＳＩ−ＲＳリソースが直交するということは、ＣＳＩ−ＲＳを運ぶシンボル及び副搬送波（サブキャリア）（subcarrier）を特定するＣＳＩ−ＲＳリソース構成（resource configuration）、サブフレームオフセット（offset）及び送信周期（transmission period）などによってＣＳＩ−ＲＳが割り当てられたサブフレームを特定するサブフレーム構成（subframe configuration）、ＣＳＩ−ＲＳシーケンスのうちの少なくとも１つが互いに異なることを意味する。
【００３３】
本発明において、ＰＤＣＣＨ（Physical Downlink Control CHannel）／ＰＣＦＩＣＨ（Physical Control Format Indicator CHannel）／ＰＨＩＣＨ（Physical Hybrid automatic retransmit request Indicator CHannel）／ＰＤＳＣＨ（Physical Downlink Shared CHannel）は、それぞれ、ＤＣＩ（Downlink Control Information）／ＣＦＩ（Control Format Indicator）／下りリンクＡＣＫ／ＮＡＣＫ（ACKnowlegement／Negative ACK）／下りリンクデータを運ぶ時間−周波数リソースの集合（セット）（set）又はリソース要素の集合を意味する。また、ＰＵＣＣＨ（Physical Uplink Control CHannel）／ＰＵＳＣＨ（Physical Uplink Shared CHannel）／ＰＲＡＣＨ（Physical Random Access CHannel）は、それぞれ、ＵＣＩ（Uplink Control Information）／上りリンクデータ／ランダムアクセス信号を運ぶ時間−周波数リソースの集合又はリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、又はそれに属した時間−周波数リソース又はリソース要素（Resource Element，ＲＥ）を、それぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ  ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと呼ぶ。以下において、ユーザ機器がＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で又はこれを介して、上りリンク制御情報／上りリンクデータ／ランダムアクセス信号を送信するという表現と同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で又はこれを介して、下りリンクデータ／制御情報を送信するという表現と同じ意味で使われる。
【００３４】
図１は、無線通信システムで用いられる無線フレーム構造の一例を示す図である。特に、図１（ａ）は、３ＧＰＰ  ＬＴＥ／ＬＴＥ−Ａシステムで用いられる周波数分割デュプレックス（Frequency Division Duplex，ＦＤＤ）用フレーム構造を示しており、図１（ｂ）は、３ＧＰＰ  ＬＴＥ／ＬＴＥ−Ａシステムで用いられる時間分割デュプレックス（Time Division Duplex，ＴＤＤ）用フレーム構造を示している。
【００３５】
図１を参照すると、３ＧＰＰ  ＬＴＥ／ＬＴＥ−Ａシステムで用いられる無線フレームは、１０ｍｓ（３０７２００Ｔｓ）の長さを有し、１０個の均等なサイズのサブフレーム（Subframe，ＳＦ）で構成される。１つの無線フレームにおける１０個のサブフレームには、それぞれ番号を与えることができる。ここで、Ｔｓは、サンプリング時間を表し、Ｔｓ＝１／（２０４８＊１５ｋＨｚ）で表される（represented）。それぞれのサブフレームは、１ｍｓの長さを有し、２個のスロットで構成される。１つの無線フレームにおいて、２０個のスロットには、０から１９までの番号を順次与えることができる。それぞれのスロットは、０．５ｍｓの長さを有する。１つのサブフレームを送信するための時間は、送信時間間隔（Transmission Time Interval，ＴＴＩ）として定義される。時間リソースは、無線フレーム番号（又は、無線フレームインデックスともいう）、サブフレーム番号（又は、サブフレームインデックスともいう）、スロット番号（又は、スロットインデックスともいう）などによって区別する（discriminated）ことができる。
【００３６】
無線フレームは、デュプレックス（duplex）技法によって別々に構成（configure）することができる。例えば、ＦＤＤにおいて、下りリンク送信及び上りリンク送信は周波数によって区別されるため、無線フレームは、特定の周波数帯域に対して下りリンクサブフレーム又は上りリンクサブフレームのいずれか１つのみを含む。ＴＤＤでは下りリンク送信及び上りリンク送信が時間によって区別されるため、特定の周波数帯域に対して、無線フレームは、下りリンクサブフレームも上りリンクサブフレームも含む。
【００３７】
表１は、ＴＤＤにおいて、無線フレームにおけるサブフレームのＤＬ−ＵＬ構成（configuration）を例示するものである。
【００３８】
＜表１＞
【表１】
0006878603.tif 000002
【００３９】
表１において、Ｄは下りリンクサブフレームを、Ｕは上りリンクサブフレームを、Ｓはスペシャル（特異）（special）サブフレームを表す。スペシャルサブフレームは、ＤｗＰＴＳ（Downlink Pilot Time Slot）、ＧＰ（Guard Period）、ＵｐＰＴＳ（Uplink Pilot Time Slot）の３つのフィールドを含む。ＤｗＰＴＳは、下りリンク送信のためにリザーブ（留保）される（reserved）時間区間であり、ＵｐＰＴＳは、上りリンク送信のためにリザーブされる時間区間である。表２は、スペシャルサブフレーム構成（configuration）を例示するものである。
【００４０】
＜表２＞
【表２】
0006878603.tif 000003
【００４１】
図２は、無線通信システムにおける下りリンク／上りリンク（ＤＬ／ＵＬ）スロット構造の一例を示す図である。特に、図２は、３ＧＰＰ  ＬＴＥ／ＬＴＥ−Ａシステムのリソースグリッド（格子）（resource grid）の構造を示す。アンテナポート当たり１個のリソースグリッドがある。
【００４２】
図２を参照すると、スロットは、時間領域（ドメイン）で複数のＯＦＤＭ（Orthogonal Frequency Division Multiplexing）シンボルを含み、周波数領域で複数のリソースブロック（Resource Block，ＲＢ）を含む。ＯＦＤＭシンボルは、１つのシンボル区間を意味することもある。図２を参照すると、各スロットで送信される信号は、
0006878603.tif 000004
個の副搬送波（subcarrier）と
0006878603.tif 000005
個のＯＦＤＭシンボルとで構成されるリソースグリッド（resource grid）で表現することができる。ここで、
0006878603.tif 000006
は、下りリンクスロットにおけるリソースブロック（Resource Block，ＲＢ）の個数を表し、
0006878603.tif 000007
は、ＵＬスロットにおけるＲＢの個数を表す。
0006878603.tif 000008
及び
0006878603.tif 000009
は、ＤＬ送信帯域幅及びＵＬ送信帯域幅にそれぞれ依存する。
0006878603.tif 000010
は、下りリンクスロットにおけるＯＦＤＭシンボルの個数を表し、
0006878603.tif 000011
は、ＵＬスロットにおけるＯＦＤＭシンボルの個数を表す。
0006878603.tif 000012
は、１つのＲＢを構成する副搬送波の個数を表す。
【００４３】
ＯＦＤＭシンボルは、多元接続（多重接続）（multiple access）方式によって、ＯＦＤＭシンボル、ＳＣ−ＦＤＭ（Single Carrier Frequency Division Multiplexing）シンボルなどと呼ぶことができる。１つのスロットに含まれるＯＦＤＭシンボルの数は、チャネル帯域幅、ＣＰ（Cyclic Prefix）長によって様々に変更可能である。例えば、ノーマル（正規）（normal）ＣＰの場合は、１つのスロットが７個のＯＦＤＭシンボルを含むが、拡張（extended）ＣＰの場合は、１つのスロットが６個のＯＦＤＭシンボルを含む。図２では、説明の便宜のために、１つのスロットが７個のＯＦＤＭシンボルで構成されるサブフレームを例示するが、本発明の実施例は、その他の個数のＯＦＤＭシンボルを有するサブフレームにも同様の方式で適用されてもよい。図２を参照すると、各ＯＦＤＭシンボルは、周波数領域で、
0006878603.tif 000013
個の副搬送波を含む。副搬送波のタイプ（類型）（type）は、データ送信のためのデータ副搬送波、参照信号（reference signal）の送信のための参照信号副搬送波、ガードバンド（guard band）及び直流（Direct Current，ＤＣ）成分のためのヌル（null）副搬送波に分類することができる。ＤＣ成分のためのヌル副搬送波は、未使用のまま残される副搬送波であり、ＯＦＤＭ信号生成過程又は周波数アップ（上り）変換（frequency up-conversion）過程で搬送波周波数（carrier frequency，ｆ０）にマッピング（mapping）される。搬送波周波数は、中心周波数（center frequency）と呼ばれることもある。
【００４４】
１つのＲＢは、時間領域で
0006878603.tif 000014
個（例えば、７個）の連続するＯＦＤＭシンボルとして定義され、周波数領域でｃ個（例えば、１２個）の連続する副搬送波によって定義される。参考として、１つのＯＦＤＭシンボルと１つの副搬送波とで構成されたリソースをリソース要素（Resource Element，ＲＥ）又はトーン（tone）という。したがって、１つのＲＢは、
0006878603.tif 000015
個のリソース要素で構成される。リソースグリッドにおける各リソース要素は、１つのスロットにおけるインデックス対（ｋ，１）によって一意（固有）に（uniquely）定義できる。ｋは、周波数領域で０から
0006878603.tif 000016
まで与えられるインデックスであり、ｌは、時間領域で０から
0006878603.tif 000017
まで与えられるインデックスである。
【００４５】
１つのサブフレームにおいて
0006878603.tif 000018
個の連続した同一副搬送波を占有し、当該サブフレームにおける２個のスロットのそれぞれに１個ずつ位置する２個のＲＢを物理リソースブロック（Physical Resource Block，ＰＲＢ）対（pair）という。ＰＲＢ対を構成する２個のＲＢは、同一のＰＲＢ番号（又は、ＰＲＢインデックス（index）ともいう）を有する。ＶＲＢは、リソース割り当てのために導入された一種の論理的リソース割り当て単位である。ＶＲＢは、ＰＲＢと同じサイズを有する。ＰＲＢにマッピングする方式によって、ＶＲＢは、局所（局部）（localized）タイプのＶＲＢと分散（distributed）タイプのＶＲＢとに区別される。局所タイプのＶＲＢは、ＰＲＢに直接マッピングされて、ＶＲＢ番号（ＶＲＢインデックスともいう）がＰＲＢ番号に直接対応する。即ち、ｎPRB＝ｎVRBとなる。局所タイプのＶＲＢには、０から
0006878603.tif 000019
まで順に番号が与えられ、
0006878603.tif 000020
である。したがって、局所マッピング方式によれば、同一のＶＲＢ番号を有するＶＲＢが、１番目のスロットと２番目のスロットとにおいて同一のＰＲＢ番号のＰＲＢにマッピングされる。一方、分散タイプのＶＲＢは、インターリーブを経てＰＲＢにマッピングされる。そのため、同一のＶＲＢ番号を有する分散タイプのＶＲＢは、１番目のスロットと２番目のスロットとにおいて互いに異なる番号のＰＲＢにマッピングされることがある。サブフレームの２つのスロットに１個ずつ位置し、同一のＶＲＢ番号を有する２個のＰＲＢをＶＲＢ対と称する。
【００４６】
図３は、３ＧＰＰ  ＬＴＥ／ＬＴＥ−Ａシステムで用いられる下りリンク（DownLink，ＤＬ）サブフレーム構造を例示する図である。
【００４７】
図３を参照すると、ＤＬサブフレームは、時間領域で制御領域（control region）とデータ領域（data region）とに区別される。図３を参照すると、サブフレームの第１のスロットで先頭部における最大３（又は４）個のＯＦＤＭシンボルは、制御チャネルが割り当てられる制御領域（control region）に対応する。以下、ＤＬサブフレームでＰＤＣＣＨ送信に利用可能なリソース領域（resource region）をＰＤＣＣＨ領域と称する。制御領域に用いられるＯＦＤＭシンボル以外のＯＦＤＭシンボルは、ＰＤＳＣＨ（Physical Downlink Shared CHannel）が割り当てられるデータ領域（data region）に該当する。以下、ＤＬサブフレームでＰＤＳＣＨ送信に利用可能なリソース領域をＰＤＳＣＨ領域と称する。３ＧＰＰ  ＬＴＥで用いられるＤＬ制御チャネルの例としては、ＰＣＦＩＣＨ（Physical Control Format Indicator CHannel）、ＰＤＣＣＨ（Physical Downlink Control CHannel）、ＰＨＩＣＨ（Physical hybrid ARQ indicator CHannel）などを含む。ＰＣＦＩＣＨは、サブフレームの最初のＯＦＤＭシンボルで送信され、サブフレームにおいて制御チャネルの送信に用いられるＯＦＤＭシンボルの個数に関する情報を運ぶ。ＰＨＩＣＨは、ＵＬ送信に対する応答としてＨＡＲＱ（Hybrid Automatic Repeat reQuest）ＡＣＫ／ＮＡＣＫ（ACKnowledgment/Negative-ACKnowledgment）信号を運ぶ。
【００４８】
ＰＤＣＣＨを介して送信される制御情報を下りリンク制御情報（Downlink Control Information，ＤＣＩ）と呼ぶ。ＤＣＩは、ＵＥ又はＵＥグループのためのリソース割り当て情報及び他の制御情報を含む。例えば、ＤＣＩは、ＤＬ共有チャネル（Downlink Shared CHannel，ＤＬ−ＳＣＨ）の送信フォーマット及びリソース割り当て情報、ＵＬ共有チャネル（Uplink Shared CHannel，ＵＬ−ＳＣＨ）の送信フォーマット及びリソース割り当て情報、ページングチャネル（Paging CHannel，ＰＣＨ）上のページング情報、ＤＬ−ＳＣＨ上のシステム情報、ＰＤＳＣＨ上で送信されるランダムアクセス応答などの上位層（upper layer）制御メッセージのリソース割り当て情報、ＵＥグループ内の個別のＵＥへの送信電力制御命令（セット）（Transmit Control Command Set）、送信電力制御（Transmit Power Control）命令、ＶｏＩＰ（Voice over IP）の活性化（activation）指示情報、ＤＡＩ（Downlink Assignment Index）などを含む。ＤＬ共有チャネル（Downlink Shared CHannel，ＤＬ−ＳＣＨ）の送信フォーマット（Transmit Format）及びリソース割り当て情報は、ＤＬスケジューリング情報又はＤＬグラント（DL grant）とも呼ばれ、ＵＬ共有チャネル（Uplink Shared CHannel，ＵＬ−ＳＣＨ）の送信フォーマット及びリソース割り当て情報は、ＵＬスケジューリング情報又はＵＬグラント（UL grant）とも呼ばれる。１つのＰＤＣＣＨが運ぶＤＣＩは、ＤＣＩフォーマットによってそのサイズ及び用途が異なり、符号化率によってそのサイズが異なり得る。現在、３ＧＰＰ  ＬＴＥシステムでは、上りリンク用としてフォーマット０及び４、下りリンク用としてフォーマット１、１Ａ、１Ｂ、１Ｃ、１Ｄ、２、２Ａ、２Ｂ、２Ｃ、３、３Ａなどの様々なフォーマットが定義されている。ＤＣＩフォーマットのそれぞれの用途に応じて、ホッピングフラグ、ＲＢ割り当て（RB allocation）、ＭＣＳ（Modulation Coding Scheme）、ＲＶ（Redundancy Version）、ＮＤＩ（New Data Indicator）、ＴＰＣ（Transmit Power Control）、巡回（循環）シフトＤＭＲＳ（Cyclic Shift DeModulation Reference Signal）、ＵＬインデックス、ＣＱＩ（Channel Quality Information）要求、ＤＬ割り当てインデックス（DL assignment index）、ＨＡＲＱプロセスナンバ、ＴＰＭＩ（Transmitted Precoding Matrix Indicator）、ＰＭＩ（Precoding Matrix Indicator）情報などの制御情報の適宜選択された組み合わせが、下りリンク制御情報としてＵＥに送信される。
【００４９】
一般に、ＵＥに対して構成された送信モード（Transmission Mode，ＴＭ）によって、当該ＵＥに送信可能なＤＣＩフォーマットが異なる。換言すれば、特定の送信モードに構成されたＵＥのためには、いかなるＤＣＩフォーマットを用いてもよいわけではなく、特定の送信モードに対応する一定のＤＣＩフォーマットのみを用いることができる。
【００５０】
ＰＤＣＣＨは、１つ又は複数の連続した制御チャネル要素（Control Channel Element，ＣＣＥ）のアグリゲーション（統合、集成）（aggregation）上で送信される。ＣＣＥは、ＰＤＣＣＨに無線チャネル状態に基づく符号化率（coding rate）を提供するために用いられる論理的割り当てユニット（unit）である。ＣＣＥは、複数のリソース要素グループ（Resource Element Group，ＲＥＧ）に対応する。例えば、１つのＣＣＥは９個のＲＥＧに対応し、１つのＲＥＧは４個のＲＥに対応する。３ＧＰＰ  ＬＴＥシステムの場合、それぞれのＵＥのためにＰＤＣＣＨが位置してもよいＣＣＥセットを定義した。ＵＥが自体のＰＤＣＣＨを発見し得るＣＣＥセットを、ＰＤＣＣＨサーチスペース（探索空間）、単にサーチスペース（Search Space，ＳＳ）と呼ぶ。サーチスペース内でＰＤＣＣＨが送信されてもよい個別のリソースをＰＤＣＣＨ候補（candidate）と呼ぶ。ＵＥがモニタリング（monitoring）するＰＤＣＣＨ候補の集合をサーチスペースとして定義する。３ＧＰＰ  ＬＴＥ／ＬＴＥ−Ａシステムにおいて、それぞれのＤＣＩフォーマットに関するサーチスペースは、異なるサイズを有してもよく、専用（dedicated）サーチスペースと共通（common）サーチスペースとが定義されている。専用サーチスペースは、ＵＥ固有（特定）（specific）サーチスペースであり、それぞれの個別のＵＥのために構成（configuration）される。共通サーチスペースは、複数のＵＥのために構成される。以下の表は、サーチスペースを定義するアグリゲーション（集成）レベル（aggregation level）を例示するものである。
【００５１】
＜表３＞
【表３】
0006878603.tif 000021
【００５２】
１つのＰＤＣＣＨ候補は、ＣＣＥアグリゲーションレベルによって１、２、４又は８個のＣＣＥに対応する。ｅＮＢは、サーチスペース内の任意のＰＤＣＣＨ候補上で実際のＰＤＣＣＨ（ＤＣＩ）を送信し、ＵＥは、ＰＤＣＣＨ（ＤＣＩ）を探すためにサーチスペースをモニタリングする。ここで、モニタリングとは、全てのモニタリングされるＤＣＩフォーマットによって当該サーチスペース内の各ＰＤＣＣＨの復号（decoding）を試みる（attempt）ことを意味する。ＵＥは、上記複数のＰＤＣＣＨをモニタリングし、自体のＰＤＣＣＨを検出することができる。基本的に、ＵＥは、自体のＰＤＣＣＨが送信される位置を知らないことから、サブフレーム毎に当該ＤＣＩフォーマットの全てのＰＤＣＣＨに対して、自体の識別子を有するＰＤＣＣＨを検出するまで復号を試みるが、このような過程をブラインド検出（blind detection）（ブラインド復号（Blind Decoding，ＢＤ））という。
【００５３】
ｅＮＢは、データ領域を通してＵＥ又はＵＥグループのためのデータを送信することができる。データ領域を通して送信されるデータをユーザデータとも呼ぶ。ユーザデータの送信のために、データ領域には、ＰＤＳＣＨ（Physical Downlink Shared CHannel）を割り当てることができる。ＰＣＨ（Paging CHannel）及びＤＬ−ＳＣＨ（Downlink-Shared CHannel）は、ＰＤＳＣＨを介して送信される。ＵＥは、ＰＤＣＣＨを介して送信される制御情報を復号し、ＰＤＳＣＨを介して送信されるデータを読み込むことができる。ＰＤＳＣＨのデータがどのＵＥ又はＵＥグループに送信されるか、上記ＵＥ又はＵＥグループがどのようにＰＤＳＣＨデータを受信して復号すればよいか、などを示す情報がＰＤＣＣＨに含まれて送信される。例えば、特定のＰＤＣＣＨが「Ａ」というＲＮＴＩ（Radio Network Temporary Identity）でＣＲＣ（Cyclic Redundancy Check）マスク（masking）されており、「Ｂ」という無線リソース（例えば、周波数位置）及び「Ｃ」という送信形式情報（例えば、送信ブロックサイズ、変調方式、コーディング情報など）を用いて送信されるデータに関する情報が、特定のＤＬサブフレームで送信されると仮定する。ＵＥは、自体が所有しているＲＮＴＩ情報を用いてＰＤＣＣＨをモニタリングし、「Ａ」というＲＮＴＩを有しているＵＥは、ＰＤＣＣＨを検出し、受信したＰＤＣＣＨの情報によって「Ｂ」及び「Ｃ」で示されるＰＤＳＣＨを受信する。
【００５４】
ＵＥがｅＮＢから受信した信号を復調するには、データ信号と比較する参照信号（Reference Signal，ＲＳ）が必要である。参照信号とは、ｅＮＢがＵＥに又はＵＥがｅＮＢに送信する、ｅＮＢとＵＥとが互いに知っている、予め定義された特別な波形の信号を意味し、パイロット（pilot）とも呼ばれる。参照信号は、セル内の全ＵＥに共用されるセル固有（cell-specific）ＲＳと特定のＵＥに専用される復調（DeModulation）ＲＳ（ＤＭ  ＲＳ）とに区別される。ｅＮＢが特定のＵＥのための下りリンクデータの復調のために送信するＤＭ  ＲＳをＵＥ固有（UE-specific）ＲＳと特別に称することもできる。下りリンクでＤＭ  ＲＳとＣＲＳとは共に送信されてもよいが、いずれか一方のみが送信されてもよい。ただし、下りリンクでＣＲＳ無しでＤＭ  ＲＳのみが送信される場合、データと同じプリコーダを適用して送信されるＤＭ  ＲＳは、復調の目的に限って用いることができるため、チャネル測定用ＲＳを別途提供しなければならない。例えば、３ＧＰＰ  ＬＴＥ（−Ａ）では、ＵＥがチャネル状態情報を測定できるようにするために、追加の測定用ＲＳであるＣＳＩ−ＲＳが当該ＵＥに送信される。ＣＳＩ−ＲＳは、チャネル状態について相対的に時間による変化（度）が大きくないという事実に着目し、サブフレーム毎に送信されるＣＲＳとは違い、複数のサブフレームで構成される所定の送信周期毎に送信される。
【００５５】
図４は、３ＧＰＰ  ＬＴＥ／ＬＴＥ−Ａシステムで用いられる上りリンク（UpLink，ＵＬ）サブフレーム構造の一例を示す図である。
【００５６】
図４を参照すると、ＵＬサブフレームは、周波数領域で制御領域とデータ領域とに区別できる（divided）。１つ又は複数のＰＵＣＣＨ（Physical Uplink Control CHannels）は、上りリンク制御情報（Uplink Control Information，ＵＣＩ）を運ぶために制御領域に割り当てられることができる。１つ又は複数のＰＵＳＣＨ（Physical Uplink Shared CHannels）がユーザデータを運ぶためにＵＬサブフレームのデータ領域に割り当てられてもよい。
【００５７】
ＵＬサブフレームでは、ＤＣ（Direct Current）副搬送波から遠く離れた副搬送波が制御領域として用いられる。換言すれば、ＵＬ送信帯域幅の両端部に位置する副搬送波が上りリンク制御情報の送信に割り当てられる。ＤＣ副搬送波は、信号送信に用いられずに残される成分であり、周波数アップ変換過程で搬送波周波数ｆ０にマッピングされる。１つのＵＥのＰＵＣＣＨは、１つのサブフレームで、１つの搬送波周波数で動作するリソースに属したＲＢ対に割り当てられ、このＲＢ対に属したＲＢは、２つのスロットでそれぞれ異なる副搬送波を占有する。このように割り当てられるＰＵＣＣＨを、ＰＵＣＣＨに割り当てられたＲＢ対がスロット境界で周波数ホッピングすると表現する。ただし、周波数ホッピングが適用されない場合には、ＲＢ対が同一の副搬送波を占有する。
【００５８】
ＰＵＣＣＨは、次の制御情報を送信するために用いることができる。
【００５９】
−ＳＲ（Scheduling Request）：上りリンクＵＬ−ＳＣＨリソースを要求するために用いられる情報である。ＯＯＫ（On-Off Keying）方式を用いて送信される。
【００６０】
−ＨＡＲＱ−ＡＣＫ：ＰＤＣＣＨに対する応答及び／又はＰＤＳＣＨ上の下りリンクデータパケット（例えば、コードワード）に対する応答である。ＰＤＣＣＨ又はＰＤＳＣＨが成功裏に受信されたか否かを示す。単一の下りリンクコードワードに対する応答としてＨＡＲＱ−ＡＣＫ  １ビットが送信され、２つの下りリンクコードワードに対する応答としてＨＡＲＱ−ＡＣＫ  ２ビットが送信される。ＨＡＲＱ−ＡＣＫ応答は、ポジティブＡＣＫ（単に、ＡＣＫ）、ネガティブＡＣＫ（以下、ＮＡＣＫ）、ＤＴＸ（Discontinuous Transmission）又はＮＡＣＫ／ＤＴＸを含む。ここで、ＨＡＲＱ−ＡＣＫという用語は、ＨＡＲＱ  ＡＣＫ／ＮＡＣＫ、ＡＣＫ／ＮＡＣＫと同じ意味で使われる。
【００６１】
−ＣＳＩ（Channel State Information）：下りリンクチャネルに対するフィードバック情報（feedback information）である。ＭＩＭＯ（Multiple Input Multiple Output）関連フィードバック情報は、ＲＩ（Rank Indicator）及びＰＭＩ（Precoding Matrix Indicator）を含む。
【００６２】
ＵＥがサブフレームで送信可能な上りリンク制御情報（ＵＣＩ）の量は、制御情報送信に使用可能（可用）（available）なＳＣ−ＦＤＭＡの個数に依存する。ＵＣＩに使用可能なＳＣ−ＦＤＭＡは、サブフレームにおいて参照信号送信のためのＳＣ−ＦＤＭＡシンボル以外のＳＣ−ＦＤＭＡシンボルを意味し、ＳＲＳ（Sounding Reference Signal）が構成されているサブフレームでは、サブフレームの最後のＳＣ−ＦＤＭＡシンボルも除く。参照信号は、ＰＵＣＣＨのコヒーレント（coherent）検出に用いられる。ＰＵＣＣＨは、送信される情報によって様々なフォーマットをサポート（支援）する（supports）。
【００６３】
下記の表４に、ＬＴＥ／ＬＴＥ−ＡシステムにおけるＰＵＣＣＨフォーマットとＵＣＩとのマッピング関係を示す。
【００６４】
＜表４＞
【表４】
0006878603.tif 000022
【００６５】
表４を参照すると、主に、ＰＵＣＣＨフォーマット１系列は、ＡＣＫ／ＮＡＣＫ情報を送信するために用いられ、ＰＵＣＣＨフォーマット２系列は、ＣＱＩ／ＰＭＩ／ＲＩなどのチャネル状態情報（Channel State Information，ＣＳＩ）を運ぶために用いられ、ＰＵＣＣＨフォーマット３系列は、ＡＣＫ／ＮＡＣＫ情報を送信するために用いられる。
【００６６】
参照信号（Reference Signal；ＲＳ）
【００６７】
無線通信システムにおいてパケットを送信するとき、パケットは無線チャネルを通じて送信されるため、送信過程で信号の歪みが発生することがある。歪んだ信号を受信側で正しく受信するためには、チャネル情報を用いて受信信号において歪みを補正しなければならない。チャネル情報を知るために、送信側と受信側との両方で知っている信号を送信し、該信号がチャネルを通じて受信されるときの歪みの度合からチャネル情報を把握する方法を主に用いる。この信号をパイロット信号（Pilot Signal）又は参照信号（Reference Signal）という。
【００６８】
マルチ（多重）（複数の）アンテナ（multiple antennas）を用いてデータを送受信する場合には、各送信アンテナと各受信アンテナとの間のチャネル状況を知ってこそ正しい信号を受信することができる。したがって、各送信アンテナごとに、より詳しくはアンテナポート（antenna port）ごとに、異なった参照信号が存在しなければならない。
【００６９】
参照信号は、上りリンク参照信号と下りリンク参照信号とに区別できる（classified into）。現在、ＬＴＥシステムには、上りリンク参照信号として、
【００７０】
i）ＰＵＳＣＨ及びＰＵＣＣＨを通じて送信された情報のコヒーレント（coherent）な復調のためのチャネル推定のための復調参照信号（DeModulation-Reference Signal，ＤＭ−ＲＳ）、
【００７１】
ii）基地局が、ネットワークの異なる周波数における上りリンクチャネル品質を測定するためのサウンディング参照信号（Sounding Reference Signal，ＳＲＳ）、がある。
【００７２】
一方、下りリンク参照信号としては、
【００７３】
i）セル内の全ての端末が共有するセル固有参照信号（Cell-Specific Reference Signal，ＣＲＳ）、
【００７４】
ii）特定の端末だけのための端末固有参照信号（UE-Specific Reference Signal）、
【００７５】
iii）ＰＤＳＣＨが送信される場合、コヒーレントな復調のために送信される（DeModulation-Reference Signal，ＤＭ−ＲＳ）、
【００７６】
iv）下りリンクＤＭＲＳが送信される場合、チャネル状態情報（Channel State Information；ＣＳＩ）を伝達するためのチャネル状態情報参照信号（Channel State Information-Reference Signal，ＣＳＩ−ＲＳ）、
【００７７】
v）ＭＢＳＦＮ（Multimedia Broadcast Single Frequency Network）モードで送信される信号に対するコヒーレントな復調のために送信されるＭＢＳＦＮ参照信号（MBSFN Reference Signal）、
【００７８】
vi）端末の地理的位置情報を推定するために用いられる位置参照信号（Positioning Reference Signal）、がある。
【００７９】
参照信号は、その目的によって２種類に大別できる。チャネル情報取得のために用いられる参照信号と、データ復調のために用いられる参照信号と、がある。前者は、ＵＥが下りリンク上のチャネル情報を取得できることにその目的があるため、広帯域で送信されなければならず、特定のサブフレームで下りリンクデータを受信しない端末であってもその参照信号を受信しなければならない。また、これは、ハンドオーバなどの状況でも用いられる。後者は、基地局が下りリンクを送るときに該当のリソースと共に送る参照信号であって、端末は、当該参照信号を受信することによってチャネル測定を行ってデータを復調することが可能になる。この参照信号は、データの送信される領域で送信されなければならない。
【００８０】
ニューラット（New Radio Technology；ＮＲ）
【００８１】
上記では、３ＧＰＰ  ＬＴＥ（−Ａ）システムの構造、動作又は機能などを説明したが、ＮＲでは、３ＧＰＰ  ＬＴＥ（−Ａ）における構造、動作又は機能などが少し変形されたり、他の方式で具現又は設定され得る。その一部を簡単に説明する。
【００８２】
ＮＲでは、様々なニューマロロジ（numerology）をサポートする。例えば、サブキャリア間隔（subcarrier spacing）が１５ＫＨｚだけではなく、その２n倍（ｎ＝１，２，３，４）までサポートする。
【００８３】
また、ノーマルＣＰの場合、スロット当たりのＯＦＤＭシンボル（以後、単に「シンボル」という）の数は、１４個に固定され、１つのサブフレーム内のスロットの数は、２k個（ｋ＝０，１，２，３，４，５）までサポートされるが、無線フレームが１０個のサブフレームで構成されることは、従来のＬＴＥシステムと同様である。拡張ＣＰの場合、スロット当たりのシンボルの数は、１２個に固定され、１つのサブフレームは、４個のスロットで構成される。また、従来のＬＴＥシステムのように、１個のリソースブロックは、周波数領域において１２個の連続したサブキャリアで定義される。
【００８４】
また、１つのスロット内の各シンボルの用途（例えば、下りリンク、上りリンク又はフレキシブル（flexible））がスロットフォーマットに応じて定義され、１つのスロット内において下りリンクシンボルと上りリンクシンボルとが両方設定されてもよく、この場合を自己完結型（Self-contained）サブフレーム（又は、スロット）構造と呼ぶ。
【００８５】
ＬＴＥのＦＤ−ＭＩＭＯ及びＮｅｗ  ＲＡＴのＭＩＭＯにおいて、非周期的ＣＳＩ−ＲＳ（Aperiodic CSIRS；Ａ−ＣＳＩＲＳ）が論議されている。これは、特定の時点（例えば、サブフレーム、スロットなど）に送信されるＣＳＩ−ＲＳであって、ＤＣＩで端末に当該Ａ−ＣＳＩＲＳの送信時点を知らせて、端末が当該ＲＳをＣＳＩ測定に用いるようにする。このように、Ａ−ＣＳＩＲＳが送信されるとき、当該ＲＳが送信される時間／位置で送信されるデータシンボルの送信方法が考慮される必要がある。
【００８６】
ＬＴＥで使用された方式は、レートマッチング（Rate-Matching；ＲＭ）を使用する方式である。このように、Ａ−ＣＳＩＲＳ  ＲＥにおいてデータシンボルにレートマッチングを行おうとする場合、基地局及び端末の動作は、以下の通りである。基地局がＰＤＳＣＨのＲＥをマッピングするとき、基地局は、端末にＡ−ＣＳＩＲＳを送信するＲＳのＲＥパターンを含むゼロ電力（Zero-Power；ＺＰ）ＣＳＩ−ＲＳ（ＺＰ−ＣＳＩ−ＲＳ）を設定する。基地局は、当該ＺＰ−ＣＳＩ−ＲＳ  ＲＥでは最初からＰＤＳＣＨを送信しないと仮定して、ＲＥマッピングを行った後、ＰＤＳＣＨを送信する。また、基地局は、Ａ−ＣＳＩＲＳ  ＲＥにはＡ−ＣＳＩＲＳを送信する。また、端末は、このような送信動作を仮定して、ＰＤＳＣＨに対する復号（decoding）を行う。即ち、端末は、ＺＰ−ＣＳＩ−ＲＳが設定されたＰＤＳＣＨミューティング（muting）ＲＥでは、ＰＤＳＣＨが最初からマッピングされないと仮定した上で復号を行う。
【００８７】
セミパーシステント（Semi-Persistent；ＳＰ）ＣＳＩ−ＲＳ（ＳＰ−ＣＳＩＲＳ）も、ＬＴＥのＦＤ−ＭＩＭＯ及びＮｅｗ  ＲＡＴのＭＩＭＯにおいて考慮されている。これは、Ａ−ＣＳＩＲＳと同様に、イネーブル／ディセーブル（有効化／無効化）（enable/disable）シグナリングを介して一定の時間区間でＣＳＩ−ＲＳが送信される方法であって、Ａ−ＣＳＩＲＳのように、時点によってＣＳＩ−ＲＳの送信が可能か否かが異なり得るという特徴がある。
【００８８】
このような方式を利用するために、基地局及び端末は、レートマッチングを使用するためのシグナリング及び設定が必要である。特に、上述のようなＡ−ＣＳＩＲＳは、サブフレーム単位ごとに動的に送信され得るため、これに対応する動的シグナリング（例えば、ＰＤＣＣＨを介したＤＣＩのようなシグナリング）及びそのための上位層シグナリングを介したＺＰ−ＣＳＩ−ＲＳ設定が必要である。以下、「レートマッチング」を単に「ＲＭ」と呼ぶこともある。また、ＺＰ  ＣＳＩ−ＲＳ又はＮＺＰ  ＣＳＩ−ＲＳは、当該「ＣＳＩ−ＲＳ」が送信されるリソースを称してもよく、ＣＳＩ−ＲＳ及びＣＳＩ−ＲＳが送信されるリソースの全てを称してもよい。
【００８９】
レートマッチングのためのＺＰ−ＣＳＩ−ＲＳ設定方法（ZP-CSI-RS configuration method for rate-matching）
【００９０】
上述のようなレートマッチングシグナリングのために、以下のような設定が定義され基地局及び端末に設定されることができる。
【００９１】
１．「レートマッチングセッティング」の設定
【００９２】
オプション１：レートマッチングセッティングは、ＣＳＩ取得及び／又はビーム管理フレームワーク（beam management framework）のための測定セッティングと共有する「リソースセッティング」において、レートマッチングに使用するＺＰ−ＣＳＩ−ＲＳリソース（又は、リソースグループ）を指定するＬ’個「リンク（link）」の集合を意味する。図５は、ＺＰ−ＣＳＩ−ＲＳリソースとの共有リソースセッティングを有するレートマッチングセッティングを示す。
【００９３】
−  図５において、各リンクは、ＺＰ−ＣＳＩ−ＲＳリソースグループを意味する。特に、各リンクには、複数のリソースセッティングがレートマッチングパターンとして設定可能であり（例えば、図５の「レートマッチングセッティング」のリンク２を参照）、この場合、実際に適用されるＺＰ−ＣＳＩ−ＲＳ  ＲＥパターンは、設定された複数のＺＰ−ＣＳＩ−ＲＳリソースＲＥパターンの和集合である。
【００９４】
−  リソースセッティングは、ＺＰ−ＣＳＩ−ＲＳのためのＲＳ  ＲＥパターン候補の集合を意味する。各リソースセッティングに他種のＲＳ（例えば、ＤＭＲＳ、ＳＲＳなど）パターンが含まれてもよい。このようなリソースセッティングのために、ＣＳＩ取得／ビーム管理フレームワークなどのために定義された、ＮＺＰ−ＣＳＩ−ＲＳのためのＲＳ  ＲＥパターンを再使用することができ、この場合、ＮＺＰ−ＣＳＩ−ＲＳを使用しても、レートマッチングセッティングでリンクしたとき、基地局及び端末は、自動的に当該リソースをＺＰ−ＣＳＩ−ＲＳとして解釈する。
【００９５】
オプション２：レートマッチングセッティングは、ＣＳＩ取得及び／若しくはビーム管理フレームワークのための測定セッティングとは別に設定した（又は「ＣＳＩ取得及び／若しくはビーム管理フレームワーク用とは別に設定した」）「リソースセッティング」においてレートマッチングに使用するＺＰ−ＣＳＩ−ＲＳリソース（又は、リソースグループ）を指定するＬ’個「リンク」の集合を意味する。図６は、ＺＰ−ＣＳＩ−ＲＳリソース設定と独立したリソースセッティングを有するレートマッチングセッティングを示す。
【００９６】
−  各リンクは、ＺＰ−ＣＳＩ−ＲＳリソースグループを意味する。特に、各リンクには、複数のリソース（セッティング）がレートマッチングパターンとして設定可能であり（例えば、図６においてレートマッチングセッティングのリンク２を参照）、この場合、実際に適用されるＺＰ−ＣＳＩ−ＲＳ  ＲＥパターンは、設定された複数のＺＰ−ＣＳＩ−ＲＳリソースＲＥパターンの和集合である。
【００９７】
−  リソースセッティングは、ＺＰ−ＣＳＩ−ＲＳのためのＲＳ  ＲＥパターン候補の集合を意味する。このリソースセッティングにＮＺＰ−ＣＳＩ−ＲＳ及び他種のＲＳ（例えば、ＤＭＲＳ、ＳＲＳなど）パターンが含まれてもよい。このリソースセッティングは、Ｍ（Ｍ＞＝１）個の候補ＺＰ−ＣＳＩ−ＲＳパターンを含む。
【００９８】
特に、設定及びシグナリング上の便宜のために（例えば、オーバーヘッドの減少）、可能なＣＳＩ−ＲＳ  ＲＥパターン候補のうちの一部のみでＲＭのためのＺＰ−ＣＳＩ−ＲＳパターンが定義されてもよい。即ち、レートマッチングのためのリソースセッティングは、可能なＣＳＩ−ＲＳパターンのうち全部又は一部のみを含むことができる。例えば、ＺＰ−ＣＳＩ−ＲＳ  ＲＥパターンは、ＣＳＩ−ＲＳパターンのうちの特定のアンテナポート数を仮定したパターン（例えば、４ポート）のみが含まれることができる。
【００９９】
このリソースセッティングは、ＲＲＣなどの上位層シグナリングで設定されて、端末に伝達されることができる。
【０１００】
他の設定
【０１０１】
−  各リンクには、周波数粒度（グラニュラリティ）設定（frequency granularity configuration）（即ち、広帯域／部分帯域／副帯域（サブバンド）（wideband/partial band/subband））が含まれ得る。本明細書において、周波数粒度とは、周波数割り当ての単位を称してもよい。例えば、周波数粒度が広帯域として設定される場合、周波数割り当てがｘ個のリソースブロックに該当（対応）し（corresponds to）、周波数粒度が部分帯域として設定される場合、周波数割り当てがｙ個のリソースブロックに該当し、周波数粒度が副帯域として設定される場合、周波数割り当てがｚ個のリソースブロックに該当し、ここで、ｘ＞ｙ＞ｚ＞０であり、ｘ、ｙ、ｚは、整数である。また、周波数粒度は、通常、１つの基地局又は１つのサービングセルにおける１つの端末のための周波数割り当ての単位を称し、上記で例示した数のリソースブロック内において１つの端末のためのデータ、信号などが基地局又はサービングセルによって送信される。さらに、周波数粒度は、ここで例示したものとは異なる周波数割り当ての単位又は周波数領域の単位として解釈されてもよい。
【０１０２】
特に、複数の互いに異なる周波数設定を有するリソースが設定されてもよい。例えば、広帯域ＺＰ−ＣＳＩ−ＲＳリソースと部分帯域ＺＰ−ＣＳＩ−ＲＳリソースとが設定されてもよい。
【０１０３】
別の周波数粒度に関する設定が与えられない場合、基地局及び端末は、指定されたＺＰ−ＣＳＩ−ＲＳ  ＲＥパターンに含まれた周波数粒度に従い、ＺＰ−ＣＳＩ−ＲＳ  ＲＥパターンに周波数粒度が含まれていない場合、当該端末は、スケジューリングされた全ての帯域に対してレートマッチングが行われると仮定して、データ送受信を行うことができる。
【０１０４】
−  各リンクには、時間設定（即ち、非周期的／セミパーシステント／周期的）が含まれてもよい。
【０１０５】
より具体的には、非周期的／セミパーシステント／周期的ＺＰ  ＣＳＩ−ＲＳは、以下のように理解されることができる。
【０１０６】
−  非周期的ＺＰ  ＣＳＩ−ＲＳ：ＤＣＩなどのＬ１シグナリングを介して端末に指示され、Ｌ１シグナリングが送信されたスロット、又はＬ１シグナリングで指定された特定のスロットでのみ当該リソースパターンに対してレートマッチングが行われてもよい。
【０１０７】
特に、この場合、ＤＣＩを介した非周期的ＺＰ  ＣＳＩ−ＲＳシグナリングにおいて、セミパーシステント又は周期的ＺＰ  ＣＳＩ−ＲＳリソース（即ち、周期／オフセットが設定されている設定又はセッティング）を指定することができ、この場合、設定された周期／オフセットを無視することができる。
【０１０８】
−  セミパーシステントＺＰ  ＣＳＩ−ＲＳ：Ｌ２及び／又はＬ３シグナリングを介して設定されたＺＰ  ＣＳＩ−ＲＳリソースのうち、Ｌ１及び／又はＬ２シグナリングを介して指定されたリソースに対するレートマッチング動作をイネーブル／ディセーブルする方式で行う。このとき、イネーブルされている間、指定された周期／オフセットを有して（を用いて）（with）当該リソースに対してレートマッチングが行われ得る。
【０１０９】
−  周期的ＺＰ  ＣＳＩ−ＲＳ：上述したセミパーシステントＺＰ  ＣＳＩ−ＲＳと類似するものの、別のイネーブル／ディセーブルシグナリングが存在せず、常にイネーブルされているように動作する。
【０１１０】
特に、複数の互いに異なる時間設定を有するリソースが設定されてもよい。例えば、非周期的ＺＰ−ＣＳＩ−ＲＳリソースとセミパーシステントＺＰ−ＣＳＩ−ＲＳリソースとが設定されてもよい。
【０１１１】
２．レートマッチングセッティングが測定セッティングに含まれる場合
【０１１２】
ＣＳＩ取得及び／又はビーム管理フレームワークのための測定セッティングのフレームワーク下においてＺＰ−ＣＳＩ−ＲＳリンクが設定される。
【０１１３】
リソースセッティングは、全体のＣＳＩ−ＲＳ（ＮＺＰ及び／又はＺＰ  ＣＳＩ−ＲＳ）のためのＲＳ  ＲＥパターン候補の集合を意味する。リソースセッティングに他種のＲＳ（例えば、ＤＭＲＳ、ＳＲＳなど）パターンが含まれてもよい。ＺＰ−ＣＳＩ−ＲＳのためのリンクを設定するとき、ＣＳＩ取得及び／又はビーム管理フレームワークなどのために定義されたＮＺＰ−ＣＳＩ−ＲＳのためのＲＳ  ＲＥパターンを再使用することができ、この場合、ＮＺＰ−ＣＳＩ−ＲＳを使用しても、レートマッチングセッティングにおいてリンクしたとき、基地局及び端末は、自動的に当該リソースをＺＰ−ＣＳＩ−ＲＳとして解釈することができる。図７は、測定セッティング内に含まれたレートマッチングのためのＺＰ−ＣＳＩ−ＲＳ設定を示す図である。
【０１１４】
図７のリンク４又は５と同様に、測定セッティング内で特定のリソースセッティングに報告セッティングがリンクされないか、報告セッティングの代わりに別に設定された「レートマッチングセッティング」にリンクされる場合、当該リンクで指定したＣＳＩ−ＲＳリソース（又は、リソースグループ）は、レートマッチングのためのＺＰ−ＣＳＩ−ＲＳパターン専用として解釈される。この場合、レートマッチング用リンクは、測定セッティング内のその他のＣＳＩ測定／ビーム管理のためのリンクとそのインデックスを共有することができる。
【０１１５】
３．レートマッチングセッティングが個別のリソースセッティングを有する測定セッティングに含まれる場合
【０１１６】
上述した「レートマッチングセッティングが測定セッティングに含まれる場合」と類似するが、レートマッチングのためのＺＰ  ＣＳＩ−ＲＳ用の別のリソースセッティングを設定することができる。
【０１１７】
特に、この場合、ＲＳの集合の他にＰＤＳＣＨ領域全体を対象とすることができる。
【０１１８】
４．レートマッチングセッティングがリソースセッティングに含まれる場合
【０１１９】
−  リソースセッティング内の各リソース（集合）ごとに１ビット指示子を割り当てて、当該リソースセッティングをレートマッチングに使用するか否かを設定することができる。図８は、リソースセッティングにレートマッチングセッティング（即ち、レートマッチングに使用するか否かを指示する指示子）が割り当てられた例を示す。
【０１２０】
−  端末は、リソースセッティングに対して設定された１ビット指示子が「ＲＭ  ｏｎ」に設定された全てのリソース（又は、リソース集合）に対してレートマッチングを仮定する。
【０１２１】
−  この指示子は、ＺＰ−ＣＳＩ−ＲＳとＮＺＰ  ＣＳＩ−ＲＳとに共通して設定することができる。両方とも同様にレートマッチングパターンとして使用することができる。
【０１２２】
−  ＮＺＰ−ＣＳＩ−ＲＳが送信されるＲＥにデータが送信されることを防止するために、この指示子はＺＰ−ＣＳＩ−ＲＳ用に限定して、端末又は基地局は、ＮＺＰ−ＣＳＩ−ＲＳに対してはデフォルト（default）でレートマッチングを行うと定義することができる。特に、デフォルトでレートマッチングを行うように定義されるＮＺＰ−ＣＳＩ−ＲＳは、ＮＺＰ−ＣＳＩ−ＲＳのうち、ビーム管理／ＣＳＩ取得などのために設定されたリンクに含まれたＮＺＰ−ＣＳＩ−ＲＳリソースに限定することができる。
【０１２３】
より具体的には、端末又は基地局は、チャネル測定用として設定されたＮＺＰ  ＣＳＩ−ＲＳと干渉測定用として設定されたＮＺＰ  ＣＳＩ−ＲＳとに、いずれもデフォルトでレートマッチングを行うことができる。
【０１２４】
干渉測定の柔軟性のために、ＮＺＰ  ＣＳＩ−ＲＳであっても干渉測定用として設定された場合には、別のシグナリング／設定のない場合、端末又は基地局は、レートマッチングを行わなくてもよい。
【０１２５】
このとき、時間／周波数に関する設定は、当該ＮＺＰ−ＣＳＩ−ＲＳ設定に従ってもよい。
【０１２６】
−  ＮＺＰ−ＣＳＩ−ＲＳをレートマッチング用として使用するために、別の時間／周波数設定を使用することができる。特に、この場合、より高い単位（例えば、非周期的−＞セミパーシステント−＞周期的、部分帯域−＞広帯域）に拡張して使用することができ、そのために、別の指示子を使用してもよい。例えば、１ビット指示子がＮＺＰ−ＣＳＩ−ＲＳに含まれる場合、当該指示子は、一種の「セル固有ＣＳＩ−ＲＳリソース」として理解され、これは、セル内の全ての端末がチャネル測定などの用途として共有して使用可能であるため、端末は、当該リソースに常にＮＺＰ−ＣＳＩ−ＲＳが送信されると仮定して動作することができる。即ち、上記指示子が「ｏｎ」を指示する場合、当該リソースは、ＮＺＰ−ＣＳＩ−ＲＳのための時間設定に関係なく、セミパーシステント／周期的ＺＰ−ＣＳＩ−ＲＳとして解釈できる。端末又は基地局は、上記ＮＺＰ−ＣＳＩ−ＲＳに対してレートマッチングを行うことができる。
【０１２７】
レートマッチングのためのＺＰ−ＣＳＩ−ＲＳ用リソースパターン設定方法
【０１２８】
１．リソースパターン設定は、他のＲＳのリソース設定方式に従うことにする。
【０１２９】
ＲＭの目的のうちの１つとして、ＮＺＰ  ＣＳＩ−ＲＳの保護があるため、ＲＭリソースの設定方式は、ＣＳＩ−ＲＳのリソース設定方式を基本とすることができる。
【０１３０】
そのために、要素（component）ＲＭリソースを定義して、当該要素ＲＭリソースを統合して（by aggregating）ＲＭしようとするリソースを設定することができる。例えば、ＲＭＲは、少なくともＣＳＩ−ＲＳの保護のために定義されることができ、ＣＳＩ−ＲＳのための要素ＣＳＩ−ＲＳリソースと同一のＲＥ構成を有する要素ＲＭリソースが定義されることができる。
【０１３１】
このような場合、ＲＭＲのための要素ＲＭリソースは、全ての要素ＣＳＩ−ＲＳリソースのうちの一部又は特定の１つの形態のみをサポートすることができる。例えば、各要素ＲＭリソースは、ＩＭＲとしての使用を考慮しているので、当該リソースは、ＩＭＲの最小単位と同一のリソース単位、例えば、２つのＲＥになり得る。また、別の例として、２つのＲＥからなる要素ＣＳＩ−ＲＳリソースパターンのうちの２＊１の形態、即ち、互いに連接（隣接）した（adjacent）２つのサブキャリアが１つのシンボルで使用される形態が使用されてもよいが、これは、ビーム管理用ＣＳＩ−ＲＳ（即ち、任意の（ランダムな）シンボル数で定義されるＣＳＩ−ＲＳ（a CSI-RS defined in the random number of symbols））のような形態のＲＳを保護する動作を行うのに適する。
【０１３２】
要素ＲＭリソースが２つ以上定義される場合、当該リソースのうちのいずれのリソース、例えば、リソースの長さ及び／又はＲＥの位置（例えば、方向）を使用するかを設定することができる。例えば、図９のように、１つのＲＥ要素ＲＭリソースと２つのＲＥ要素ＲＭリソースのうちのいずれの要素ＲＭリソースを使用するかを設定することができる。これは、ＰＴ（Phase Tracking）−ＲＳのようなＲＳのためのＲＭ動作をサポートする場合、ＰＴ−ＲＳは、周波数方向に１つのサブキャリアを使用して、あらゆる（every）シンボル又は交互の（交差する）（alternating）シンボルで送信できるため、上述のような要素ＲＭリソースが使用されることができる。
【０１３３】
ＣＳＩ−ＲＳで１つのＲＥ要素リソースを使用しない場合、２つのＲＥ要素リソースのアグリゲーションと同一の原則が適用されることができる。
【０１３４】
要素ＲＭリソースのアグリゲーションは、設定されたポート番号によって定められた順に要素リソース単位でＲＭＲが拡張されることができる。このとき、順序は、１つのＲＭＲのために要素リソースが配置される位置を含むことができる。ＲＭＲには、他のＲＳとは異なり、ポートの概念が不要であるため、ＲＭＲに設定されるポート番号パラメータは、ＲＭＲが定義されるリソースのサイズ（例えば、ＲＥ数）を意味するか、又は同一の意味を有する他のパラメータが定義されることができる。
【０１３５】
ＣＳＩ−ＲＳが定義され得るシンボル位置が複数である場合、当該ＲＭＲのスロット内の位置（例えば、ＲＭＲの最初のシンボルが来る位置）を設定する「シンボル位置（symbol location）」を設定することができる。これは、当該ＲＳが定義され得る領域内の位置がその対象となる。本発明のＲＭＲがＩＭＲとして使用される場合、ＤＭＲＳのように、ＣＳＩ−ＲＳではない他のＲＳ位置にＲＭＲを設定する必要があり得る。このように、ＲＭＲの設定の柔軟性（configuration flexibility）、例えば、他のＲＳのためのＲＭの目的（an RM object for a different RS）を考慮して、ＲＭリソースが設定可能なシンボルは、ＣＳＩ−ＲＳが定義されるシンボルに限られず、スロット全体をカバー（cover）した方が好ましい。
【０１３６】
図１０は、ＲＭパターンのためのシンボル位置に関する例を示す図である。
【０１３７】
シンボル位置設定が全体のスロットを対象とする場合、これをさらに単純化することができる。例えば、ＲＭは、ＣＳＩ−ＲＳの保護のために使用されることが多いため、ＣＳＩ−ＲＳ対象のＲＭリソース設定ケースと、その他のリソース対象のＲＭリソース設定ケースと、に分けることができる。即ち、シンボル位置は「ＣＳＩ−ＲＳ領域」と「非ＣＳＩ−ＲＳ領域」とに設定することができる。この場合、各シンボル位置が指定するリソースの領域が互いに異なり、また、互いに重畳しない（non-overlapping）。
【０１３８】
上述した方式は、互いに異なるＲＳの特性をカバーするための方式を含み、この場合、各ＲＳの特性に従って、いくつかの設定パラメータを集めて設定をさらに単純化することができる。よって、当該リソースの設定方式、例えば、ＣＳＩ−ＲＳ／ＤＭＲＳ／ＰＴＲＳタイプのうちのいずれの方式を使用するかに対する「リソース設定タイプ指示」パラメータを端末に設定することができ、各リソース設定タイプは、特定のパラメータの集合として定義されることができる。例えば、このような設定が「ＣＳＩ−ＲＳ方式」を指示する場合、上述のように、２＊１の要素ＲＭリソースのアグリゲーションによってリソースパターンを設定することができ、ＰＴ−ＲＳは、ＲＢ内の１つのサブキャリアの全体又は交互のシンボルで送信されるため、ＰＴ−ＲＳタイプの場合は、要素ＲＭリソースとして１つのＲＥを使用して、当該ＲＭＲが設定可能なＲＢ内領域を制限することができる。ＤＭＲＳタイプの場合、ポート番号によるＲＥパターンを要素ＲＭリソースとして定義することができる（例えば、ポート番号やフロント／バックロード（front/back loaded）ＤＭＲＳ、追加ＤＭＲＳ設定）。
【０１３９】
リソース設定タイプ指示は、以下のようなパラメータを含むことができる。
【０１４０】
−  要素ＲＭリソース
【０１４１】
−  ＲＭＲが定義され得るＲＢ内領域（例えば、シンボル／サブキャリア）
【０１４２】
ＲＭＲ領域は、ＲＭＲが定義されるＲＳ（当該ＲＭＲがあるＲＳのために定義されるか）（an RS for which an RMR is defined）によって異なり得るため、当該シンボル／サブキャリアの位置は、ＣＳＩ−ＲＳ候補位置、ＤＭＲＳ候補位置、ＰＴＲＳ位置などのＲＳタイプによって定義が異なり得る。
【０１４３】
−  ＲＢレベル密度
【０１４４】
基底密度（base density）及び設定可能な密度値がＲＳタイプに応じてその設定が異なり得る。
【０１４５】
−  ＲＭＲパターンが定義される領域（例えば、１つのＲＢ又は２つのＲＢ）
【０１４６】
上述のような各「リソース設定タイプ指示」のパラメータ設定は、予め定義されるか、ＲＲＣなどの上位層シグナリングで設定されることができる。
【０１４７】
より具体的には、ＰＴ−ＲＳのためのＲＭＲを定義するとき、以下のようなパラメータがさらに設定されることができる。
【０１４８】
−  シンボル間隔（symbol spacing）−ＰＴ−ＲＳのためのＲＭＲが１つのサブキャリア内においてあるシンボルに送信されるかを決定する。例えば、１（即ち、ＰＤＳＣＨ領域内の全てのシンボルでＰＴ−ＲＳのためのＺＰリソースが設定される）、２、４つのシンボル間隔が考慮できる。
【０１４９】
スロット内のシンボル間の位相ドリフト（drift）を補正するために、ＴＲＳ（Tracking RS）が設定されることができる。このようなＴＲＳも複数の端末に設定されることができ、位相ドリフトの正確な測定のために、当該リソースもレートマッチングできるように設定／シグナリングする方式が考慮されている。このようなＴＲＳのレートマッチングも、上述した方式によって行われることができる。
【０１５０】
このような方式は、ＰＤＳＣＨ送信のためのＣＯＲＥＳＥＴのためにも設定されることができる。ＣＯＲＥＳＥＴは、ＰＤＣＣＨが送信可能なリソース領域であって、ＵＥ固有に設定されるＣＯＲＥＳＥＴは、端末に複数設定されることができ、端末は、当該ＣＯＲＥＳＥＴのうち、実際に使用する（ＰＤＣＣＨを探索する）ＣＯＲＥＳＥＴを基地局から設定される。従来のＬＴＥにおいて、広帯域／ＰＤＣＣＨ領域内で定義されたＲＥＧ（即ち、シンボル当たり１２個のＲＥ）及びサーチスペースが当該ＣＯＲＥＳＥＴ内に定義される。
【０１５１】
このようなＣＯＲＥＳＥＴは、帯域幅パート（bandwidth part）と同一又は狭い（少ない）帯域に対して定義されるので、ＣＯＲＥＳＥＴが定義されるシンボルにおいて一部残るリソースをＰＤＳＣＨの送信に使う方式を考慮し、同時に当該リソースが他の端末のＰＤＣＣＨ送信に使用可能であるので、当該リソースもレートマッチングできるように設定／シグナリングする方式が考慮される。このようなＣＯＲＥＳＥＴのレートマッチングも上述した方式によって行われることができる。
【０１５２】
同期化信号（Synchronization Signal；ＳＳ）ブロック（ＳＳＢ）も上述した方式によってレートマッチングを行うことができる。ＳＳブロックは、ＰＳＳ／ＳＳＳ／ＰＢＣＨを含むリソースブロックであって、端末に１つ又は複数のＳＳブロックが設定され、実際に使用するＳＳブロックを基地局が指定することができる。よって、特定のＳＳブロックが占めるリソース領域も、当該リソースが使用されないときには、ＰＤＳＣＨの送信に使用することができ、当該リソースが他の端末に占有される場合を考慮して、当該リソースをレートマッチングできるように設定／シグナリングする方式が考慮されている。このようなＳＳブロックのレートマッチングも上述した方式によって行われることができる。
【０１５３】
よって、「リソース設定タイプ指示」として以下のような対象リソース及びパラメータをさらに考慮することができる。
【０１５４】
−  ＴＲＳ
【０１５５】
＞＞スロット内のシンボルレベル送信周期
【０１５６】
＞＞ＴＲＳサブキャリア位置
【０１５７】
−  ＣＯＲＥＳＥＴ
【０１５８】
＞＞ＰＤＣＣＨ区間（duration）（ＰＤＣＣＨシンボル数）
【０１５９】
＞＞ＲＢレベル割り当て
【０１６０】
＞＞＞ＲＢ開始／終了インデックス又はＲＢの長さ
【０１６１】
＞＞＞ＲＢレベルビットマップ
【０１６２】
＞＞ＣＯＲＥＳＥＴインデックス
【０１６３】
−  ＳＳブロック
【０１６４】
＞＞ＳＳブロックインデックス
【０１６５】
リソース設定タイプ指示として、「ＰＤＳＣＨ」又は「制限されない（unrestricted）」などの設定が定義され、上述したＲＳ設定方式ではカバーできない、又はＲＳ設定には関係なく、ＲＭＲを定義可能な方式も考えられる。
【０１６６】
ＰＴ−ＲＳのためのＲＭＲの場合、非周期的ＲＭＲシグナリングの代わりに、他のＤＣＩシグナリングに、当該ＲＭＲの活性（activation）、換言すれば、当該ＲＭＲを対象とするレートマッチング動作を結び付ける（関連する）（tie）ことができる。例えば、当該端末がＭＵ（Multi-User）動作中であることを確認可能なシグナリング又はＭＵ動作に対する明示的なＤＣＩシグナリングを受信したとき、端末は、当該ＲＭＲに対してレートマッチング動作を行うことができる。
【０１６７】
複数のＲＳパターンをカバーするリソースに対してレートマッチングを行おうとする場合、レートマッチングを行おうとするＲＳパターンを有するＲＭＲを複数設定し、上述したＲＭ設定又はこれに相応するリンク（link）集合として（上述したＲＭ設定又はこれに対応するリンク（link）が上記複数のＲＭＲに結び付けられると）（if a plurality of RMRs having an RS pattern on which the rate matching is to be performed are configured and the aforementioned RM configuration or a link corresponding to the RM configuration is tied with a plurality of the RMRs）、レートマッチングを行おうとするリソースパターンを構成する全てのＲＭＲにレートマッチングを行うように設定することができる。この場合、レートマッチング動作を行うリソースは、設定されたＲＭＲの和集合とみなし、これは、互いに重畳するリソースの場合、一度だけレートマッチング動作を行うように設定されることである。
【０１６８】
２．リソースパターン設定は、ビットマップで設定される。
【０１６９】
ＬＴＥと同様に、ビットマップによってＲＭを行うリソースを定義することができる。予め定義されたグリッドがＲＢ（グループ）内に定義され、当該ＲＢ（グループ）内に定義されたグリッド（grid）要素数だけのビットマップを定義して、各グリッド要素にビットマップの各ビットを結び付け（連動させ）て（tied）ＲＭＲを設定することができる。
【０１７０】
図１１は、１つのＲＢ内でＲＭＲ又はＲＭＲパターンを指示するリソースグリッド及びそれを表現するために必要なビット数を示す図である。
【０１７１】
２つ以上のリソースグリッド要素設定（例えば、リソースグリッド要素サイズ、リソースグリッド要素内のＲＥ構成形態）が定義されることができる。例えば、図１２のように、１つのＲＥ及び２つのＲＥのうちのいずれのリソースグリッド要素サイズを使用するかを設定することができる。これは、ＰＴ−ＲＳなどのＲＳのためのＲＭ動作をサポートする場合、ＰＴ−ＲＳは、周波数方向に１つのサブキャリアを使用するＲＳがあらゆるシンボル又は交互のシンボルで送信可能であるため、これをサポートするために、上述のようなリソースグリッド要素サイズを使用することができる。
【０１７２】
特に、スロット内の領域ごとに互いに異なるリソースグリッド要素設定が定義されることができる。例えば、ＣＳＩ−ＲＳ領域におけるＲＭ動作は、ＣＳＩ−ＲＳの保護のために動作することができるため、当該ＲＭＲは、ＣＳＩ−ＲＳの要素リソースなどの要素設定に従うことが効率的である。一方、他の領域では、ＤＭＲＳが送信されることができ、これは、コーム（comb）構造などが使用されるか、又はＭＵポートごとにその位置などが異なってもよい（ＤＭＲＳが送信される位置は、コーム構造又はＭＵポートの使用によって異なってもよい）（A position in which the DMRS is transmitted may vary according to the use of a comb structure or an MU port）。よって、このときのリソース要素サイズは、ＣＳＩ−ＲＳリソースのそれとは異なってもよい。図１３は、１つのスロット内の２つの領域に設定されたリソースグリッド要素設定を示す図である。
【０１７３】
リソースグリッド要素サイズは、ＣＳＩ−ＲＳ／ＤＭＲＳ／ＰＤＳＣＨなどのように、ＲＭ動作の対象及び当該対象が設定される位置によってその設定が異なり得る。同様に、特定のＲＥグループ（例えば、シンボル内のコームＤＭＲＳ構造のための偶数番目のＲＥ）に対してＲＭを行うことができ、リソースグリッド要素サイズとは別に、特定のＲＥグループが１ビットに対応することができる。このようなハイブリッド（hybrid）リソースグリッドは、予め定義されるか、ＲＲＣなどの上位層シグナリングで設定されることができる。
【０１７４】
リソースグリッド要素サイズの設定に従い、ＲＭのためのリソースグリッドの定義が異なってもよい。これは、制限された領域を用いた高粒度（high-granularity）リソース設定／より大きい領域（例えば、スロット）をカバーする低粒度リソース設定を区分するためであって、設定ビットサイズを（ほぼ）類似する長さで維持しながら、高い解像度（resolution）／低い解像度、より大きい領域／制限された領域をカバーする方式になり得る。
【０１７５】
例えば、１−ＲＥ  ＲＭ要素リソースが定義された場合、図１４の（ａ）のようなリソースグリッド内でビットマップの各ビットが定義され、２−ＲＥ  ＲＭ要素リソースが定義された場合、図１４の（ｂ）のようなリソースグリッド内でビットマップの各ビットが定義されることができる。図１４において、ハッチングされた領域がＲＭＲで設定可能な候補領域である。
【０１７６】
効率的なビットマップ設定のために、周波数リソース領域を指示するビットマップ（以下、周波数ビットマップ）をｘビットで、時間リソース領域を指示するビットマップ（以下、時間ビットマップ）をｙビットで、設定することができる。この場合、周波数ビットマップで１つのシンボル内の周波数方向のＲＥパターンを定義し、当該シンボル内のＲＭパターンが時間ビットマップで指定されたシンボルにおいて定義される（ことと適用されることができる）。例えば、図１５のように、ＲＥレベルで１つのスロットの全体をサポートするためには、ｘ＝１２、ｙ＝１４のビットマップをサポートすることができる。周波数及び時間ビットマップが１つのビットマップでセットとして送信される場合、全体でｘ＋ｙビット長のビットマップのうちの前のｘ／ｙビットが周波数／時間ビットマップと理解され、後ろのｙ／ｘビットが時間／周波数ビットマップとそれぞれ理解される。特に、このような方式は、１つのシンボル内におけるＲＥパターンが複数のシンボルで同一に送信される現在のＲＳ構造において、共通して適用されることができる。この場合、時間／周波数ビットマップにおいて、少なくとも１つのビットは１、換言すれば、少なくとも１つのシンボル／サブキャリアは、イネーブルされてＲＭパターンに含まれる必要がある。
【０１７７】
ＲＭＲが一定領域に制限される、及び／又はリソースグリッド要素設定が異なる場合には、上述したｘ及び／又はｙビットサイズがそれに合わせて減少してもよい。例えば、ＲＭＲが制御チャネル領域の２つのシンボルをサポートしない場合には、ｙ＝１２になり得る。特に、周波数又は時間リソースグリッド要素サイズが、ＲＭパターンが定義されるリソース単位、例えば、ＲＢ又はスロットになることも可能であり（即ち、ｘ＝１又はｙ＝１）、この場合、当該方向に対するビットマップは、定義されなくてもよい（即ち、ｘ＝１であるとき、ｘ−＞０に再定義）。このような設定方式は、シンボル又はサブキャリアレベルのＲＭＲ設定に使用することができる。特に、このような場合には、当該方式が時間方向であるか、又は周波数方向であるかを端末に設定することができる。
【０１７８】
時間及び周波数ビットマップによって生成されるＲＭパターンは、１つのシンボル内のＲＥパターンが、ビットマップで指定されるシンボルにおいて同様に使用されるという仮定の下で使用されることができる。よって、同一の時間及び周波数ビットマップを有するものの該当ＲＥの一部のみを使用するＲＭパターンを使用しようとするとき、ＲＭサブセットパターンを設定することができる。特に、ＲＳの保護などのためのＲＭＲは、所定規則を有して、そのパターンが決定されることが通常であるため、実際には、ＲＭサブセットパターンとして、以下のようなパターンを設定することができる。図１６は、後述するＲＭサブセットパターンを示す図である。
【０１７９】
（ａ）基本パターン：与えられた時間及び周波数ビットマップに該当する全てのＲＥを含むＲＭパターンが定義されることができる。
【０１８０】
（ｂ）チェッカボードパターン（Checker board pattern）：与えられた時間及び周波数ビットマップに該当するＲＥのうち、ＲＥ間に所定周期で交互にＲＭパターンを定義する。
【０１８１】
−  交互に選択する周期は、特定の数、例えば、２に固定することができる。
【０１８２】
−  この場合、チェッカボードパターンのオフセットをさらに設定することができる。
【０１８３】
（ｃ）対角パターン（diagonal pattern）：与えられた時間及び周波数ビットマップに該当するＲＥのうち、対角線によってＲＭパターンを定義することができる。
【０１８４】
−  この場合、対角線の方向（他追えば、右上／右下）をさらに設定することができる。
【０１８５】
よって、同じ時間−周波数ビットマップが設定されても、ＲＭサブセットパターンパラメータの設定が異なる場合、上述のように、実際に使用するパターンは、当該時間−周波数ビットマップで指定されるＲＥグループのうち、当該ＲＭサブセットパターンパラメータによって指示されるＲＥグループに限られることができる。
【０１８６】
特に、上述のような方式によってＲＥパターンを設定するとき、一種の反復パターンが設定されることができる。よって、このような場合のために、一種の「反復リソースブロック」を定義して、当該反復リソースブロックが定義／設定された一定区間、例えば、１つのＲＢ内で反復される方式で設定されることができる。
【０１８７】
このために、反復リソースブロックのサイズが設定されることができる。これは、時間／周波数リソースのサイズａ、ｂ、例えば、シンボル／サブキャリア数をそれぞれ設定することができ、このシグナリングの単位は、上述のようなリソース粒度、例えば、リソースグリッドサイズによって異なり得る。与えられた時間／周波数リソース内に本明細書で説明したビットマップ（及び／又は上述した「リソースパターン設定を他のＲＳのリソース設定方式に従うように」する方式）を用いたリソースパターンを定義することができる。例えば、２つのシンボルが制御チャネルとして使用される１つのＲＢ、換言すれば、１２個のシンボル／１２個のサブキャリアのＰＤＳＣＨ領域において、ａ＝６つのシンボル／ｂ＝６つのサブキャリアで定義された反復リソースブロックが定義される場合、当該リソースブロックは、ＲＢ内で、図１７のように、時間／周波数方向に反復して適用される。
【０１８８】
上述した反復リソースブロックの時間／周波数サイズは、利用可能なＰＤＳＣＨ領域、換言すれば、ＲＭＲが設定可能なリソース領域のサイズをＲとするとき、
0006878603.tif 000023
（ｎは自然数）と定義することができ、当該ｎをそれぞれａ'、ｂ'として時間／周波数方向に設定することができる。例えば、図１７の方式は、ａ＝６、ｂ＝６の代わりに、ａ'＝２、ｂ'＝２のパラメータで定義されることができる。この場合、ａ'／ｂ'は、当該リソースにおいて反復回数を示し、当該リソースサイズの意味をより明確に示すことができる。この場合、反復するときのＲＢ／スロットの境界と反復リソースブロックの境界とが合わない場合、当該反復リソースブロックは割り当てられない。
【０１８９】
上述のような曖昧さ（ambiguity）を防止するために、反復リソースブロックの設定とは別に、ａ'、ｂ'を設定された反復リソースブロックの反復回数で設定することができる。同様に、上述した反復リソースブロックの位置を本明細書で説明したリソース設定のリソース要素と同様に取り扱い、上述した方式によって割り当てることができる。例えば、（反復リソースブロックが）統合される要素ＲＭリソースとして仮定されるか、反復リソースブロックのサイズと同じリソースグリッド要素サイズが定義され、これ（リソースグリッド要素サイズ）に合わせて、反復リソースブロックの位置をビットマップで設定する方式などが使用されて、反復リソースブロックの位置が割り当てられることができる（the position of the repeating resource block can be allocated by assuming the repeating resource block as aggregated component RM resources, defining a resource grid element size identical to a size of the repeating resource block, and configuring the position of the repeating resource block with a bitmap according to the resource grid element size）。
【０１９０】
特に、上述したリソースの反復は、ビーム管理用ＣＳＩ−ＲＳやＤＭＲＳなど、ＰＤＳＣＨが送信されない領域（例えば、シンボル／サブキャリア）を除いて定義されることができる。
【０１９１】
時間軸において、反復リソースブロックは、スロットの後ろから満たすことができる。スロットの前方は、制御チャネル／フロントロード（front-loaded）ＤＭＲＳなどによってＰＤＳＣＨ領域が可変であることがあるため、反復を後ろから満たすことが好ましい。
【０１９２】
上述した方式のように、一定の反復パターンを使用する代わりに、一定のシンボル／サブキャリアの全体をＲＭする方式を考慮することができる。換言すれば、時間及び／周波数ビットマップを介して設定されたシンボル／サブキャリアの全体が、ＲＭＲとして定義されることができる。これは、上述した時間及び周波数ビットマップを、共通部分の代わりに和集合として解釈して設定することができる。このために、当該ビットマップを解釈する方式がビットワイズ（wise）であるか、シンボル／サブキャリアワイズであるか（換言すれば、当該ビットマップで定義されたシンボル／サブキャリアの共通部分であるか、和集合であるか）を端末に１ビット指示子によって設定することができる。或いは、当該設定が上述した「ＲＭサブセットパターン」パラメータ中に含まれてもよい。
【０１９３】
当該ビットマップ設定方式のそれぞれは、マルチ（複数の）ＲＢ（multiple RBs）／マルチスロット（multiple slots）に対して定義されることができる。例えば、Ｎ個のＲＢに対してＲＭＲパターンが定義される場合、周波数ビットマップサイズは、ｘ（例えば、１つのＲＢにおけるサブキャリアの数に関しては１２）＊Ｎビットになり、Ｍ個のスロットに対してＲＭＲパターンが定義される場合、時間ビットマップサイズは、ｙ（例えば、１つのスロットにおけるシンボルの数に関しては１４）＊Ｍビットになる。このようなＲＢ／スロット数は、当該ＲＭＲ設定に共に含まれて設定されることができる。
【０１９４】
上述した方式のうち、高粒度（即ち、大きいリソースグリッド要素サイズを有する）と、低粒度（即ち、小さいリソースグリッド要素サイズを有する）と、の指示方式を両方用いて、低粒度指示は、上述した高粒度設定で指定されたリソースの領域で設定し、全てのＲＭＲを設定するハイブリッド設定方式がシグナリングオーバーヘッドを減らすために使用され得る。例えば、そのために、ＲＭＲ設定に、シンボルレベルＲＭＲ設定に対するビットマップを含ませ、さらに、ＲＥレベルＲＭＲ設定に対するビットマップを含ませることができる。
【０１９５】
逆に、高粒度及び低粒度の指示方式を両方用いて、低粒度指示は、上述した高粒度設定で指定されたリソース外の領域で設定して、全てのＲＭＲを設定するハイブリッド設定方式が使用され得る。
【０１９６】
２つ場合は、いずれも低粒度指示のビットマップは、上述した高粒度指示のビットマップによってＲＥレベルビットマップが定義される領域が異なり、よって、ビットマップの長さは、先行するＲＭＲ設定の高粒度指示によって可変である。
【０１９７】
上述した高／低粒度指示方式のそれぞれに対して、２つ以上の指示方式（例えば、粒度サイズ、方向など）が用いられてもよく、このような場合、該当指示方式としていずれの方式を用いたかをＲＭＲ設定に含ませることができる。例えば、上記では、シンボル方向におけるハイブリッド設定方式を例としたが、該当方式は、周波数方向においても同様に使用可能であるため、当該ビットマップが時間方向であるか周波数方向であるかに関する設定が含まれてもよい。
【０１９８】
より詳細には、リソース設定方式に２つ以上のビットマップが含まれてもよく、それぞれのビットマップがどのようなリソース粒度を有するかに加えて、該当ビットマップがどのような目的を有するかを設定することができる。
【０１９９】
−  リソース粒度
【０２００】
>>  高粒度（例えば、シンボル）
【０２０１】
>>  低粒度（例えば、ＲＥ）
【０２０２】
−  目的
【０２０３】
>>  ビットマップで指定されたリソース全体へのレートマッチングの実行
【０２０４】
>>  ビットマップで指定されたリソース内において、追加ビットマップで実際にレートマッチングを行うリソースを指定
【０２０５】
>>>  このような目的で設定された場合、指定されたリソースに限って追加ビットマップが提供される。
【０２０６】
例えば、シンボルレベルＲＭ設定ビットマップが与えられたとき、「リソース全体へのレートマッチング実行」が設定される場合、該当シンボルレベルＲＭビットマップは、指定されたシンボル全体に対してレートマッチング動作を行う目的であり、この場合、追加ビットマップが与えられない。逆に、「追加ビットマップで実際にレートマッチングを行うリソースを指定」が設定される場合、該当シンボルで指定されたシンボルグループからなるリソースにおいて、上述した方法によって実際のＲＭリソースがより詳細に設定されることができる。
【０２０７】
ハイブリッド設定方式において、上述したビットマップの「目的」は、高粒度指示のためのビットマップに限って設定されてもよい。低粒度指示のためのビットマップでは、指定するリソース全体に対してレートマッチングが行われる動作に固定されてもよい。また、「目的」として「リソース全体に対してレートマッチング実行」が設定される場合、上述のような高粒度指示で指定されたリソース以外の領域では、依然として低粒度指示のビットマップが設定される。
【０２０８】
シンボルごとにビットマップを設定する方式として、周波数方向のビットマップを設定して、該当ビットマップが適用されるシンボルインデックス及び／又はシンボル数を設定することができる。シンボル数が共に設定された場合、前のシンボルインデックスは、開始シンボルインデックスとして解釈されてもよい。該当シンボル数は、ＲＭＲが設定され得る領域（例えば、ＰＤＳＣＨ領域）内で隣接するシンボルに対応することができる。また、同様な方式を他のディメンジョン（次元）（dimension）へ適用することができる。例えば、各サブキャリアのビットマップを、サブキャリアインデックス及び／又はサブキャリア数と共に設定することができる。このような方式は、ビットマップでＲＭＲを設定しようとするシンボル（グループ）の数が少ないとき、より効率的に設定することができる。
【０２０９】
複数のビットマップ／リソースで指定されるＲＭＲは、（特に指示のない場合）その和集合として動作する。換言すれば、重なる（overlapped）リソースは、該当リソースに対して一度だけレートマッチングを行うとみなす。
【０２１０】
ＰＤＳＣＨ開始及び／又は終了シンボルに応じて、高粒度及び／又は低粒度の指示方式が設定されるリソース領域が定義される。このために、ＰＤＳＣＨ開始及び／又は終了シンボルがＲＭＲに対して設定／シグナリングされることができる。この場合、別途のＰＤＳＣＨ開始及び／又は終了シンボルのシグナリングが存在しても、端末は、該当シグナリングを無視して、ＲＭＲに定義されたＰＤＳＣＨ開始及び／又は終了シンボルを仮定してＲＭＲを用いることができる。
【０２１１】
本明細書で定義されるＲＭＲは、ＰＤＳＣＨ領域として指定された領域にのみ適用されて、その他の領域（例えば、ＰＤＣＣＨ領域、自己完結型スロットにおけるＵＬ領域など）には適用されない。例えば、ＰＤＳＣＨ開始及び／又は終了シンボルがシグナリングされた場合、指定された領域外で定義されたＲＭＲは使用しない。
【０２１２】
或いは、ＭＡＣ／ＤＣＩなどのより動的なシグナリングを介して、該当ＲＭＲが定義されるリソース領域をさらに設定することができる。特に（これは）（In particular）、ＰＤＳＣＨ領域内のＲＭＲ定義領域を、シンボル及び／又はサブキャリアレベルなどの高粒度指示方式によって設定することができる。
【０２１３】
上述したレートマッチングのためのリソースパターン設定として他のＲＳのリソース設定方式を用いるのと同様に、ＲＳの種類（例えば、ＣＳＩ−ＲＳ、ＤＭＲＳ、ＰＴ−ＲＳ）によって互いに異なるリソース設定方式が用いられてもよい。このために、「リソース設定タイプ指示」が定義され、各リソース設定タイプは、上述のような特性を互いに異なるように定義してもよい。特に、このような場合、「ＰＤＳＣＨ」又は「制限されない場合（unrestricted）」などの設定が定義され、上述したＲＳ設定方式でカバーできない領域に対して、又はＲＳ設定に関係なく、自由にＲＭＲを定義できるようにする。但し、このように、自由にＲＭＲを定義する場合、一部のパラメータが制限されることがある（例えば、リソースグリッド要素サイズ＞１）。
【０２１４】
３．ハイブリッド設定
【０２１５】
上述した２つの方式（即ち、レートマッチングのためのリソースパターン設定として他のＲＳのためのリソース設定を用いるか、ビットマップを用いる方式）が同時にサポートされる場合、該当リソース設定において、両方のうちのいずれの方式を用いるかが設定されることができる。特に、これ（リソース設定）は、「他のＲＳのためのリソース設定を用いる」方式のリソース設定タイプ指示と統合され、一種の「ＲＭＲ設定方法」のようなパラメータとして用いられる。
【０２１６】
上記方式が周期的／セミパーシステント（semi-persistent）ＲＭＲで用いられる場合、時間ワイズコーム（time-wise come configuration）が設定されてもよい。これは、特定の周期間に一定のパターンでＲＭが行われるスロットが定義されることであって、例えば、周期ｐのセミパーシステントＲＭＲの場合、ｐビットのビットマップで、１つの周期内で該当ＲＭＲによってＲＭ動作が用いられるスロットを指定することができる。この場合、各ビットは、１つの周期内のスロットに１：１で対応する。例えば、５つのスロットの周期、オフセット０（スロット）の設定で、１番目／２番目のスロットにおいて該当ＲＭＲによってＲＭ動作が用いられる場合、ビットマップ設定は、「１１０００」のように定義され、この場合、スロット番号０、１、５、６、１０、１１、…において該当ＲＭＲに対するＲＭ動作が用いられる。
【０２１７】
また、ＲＭＲのＲＢレベル密度を定義することができる。例えば、密度＝１／２が定義された場合、該当ＲＭＲは、偶数番目のＲＢ又は奇数版目のＲＢでのみ用いられる。この場合、あるリソースで該当ＲＭＲパターンが適用されるかを知らせるために（例えば、偶数又は奇数ＲＢ）ＲＢオフセット値を設定することができる。
【０２１８】
特に、ＰＴ−ＲＳのためのＲＭＲを設定しようとする場合、該当ＰＴ−ＲＳは、端末のスケジューリングによって、その有／無及び構成が異なり得る。よって、ＰＴ−ＲＳのパターンを決定するパラメータ、例えば、密度パラメータは、ＤＣＩを介して動的に端末に送信することができる。
【０２１９】
上述のようなＲＭ動作は、ビーム管理ＣＳＩ−ＲＳのＩＦＤＭＡ（Interleaved FDMA）の具現に用いることができる。これは、ＲＰＦ（RePetition Factor）／オフセットなどで指定されたＮＺＰ  ＣＳＩ−ＲＳが、上述した設定方式によって定義されたｎ-シンボルＲＭＲ上に送信される方式によって設定することができる。
【０２２０】
レートマッチングシグナリング方法
【０２２１】
ＺＰ−ＣＳＩ−ＲＳのためのＬ１／Ｌ２指示
【０２２２】
１．「レートマッチングセッティング」ケース（図５に関連）
【０２２３】
−  複数の「リンク」を含むレートマッチングセッティングを、端末にＲＲＣなどの上位層シグナリングで設定することができる。各リンクにおいて使用するＺＰ−ＣＳＩ−ＲＳパターンの集合が含まれる。別途のリソースセッティングをおく場合、これは、ＲＲＣなどの上位層シグナリングで設定する。
【０２２４】
−  数十ｍｓ程度の柔軟性のために、ＭＡＣシグナリングで実際に使用するＺＰ−ＣＳＩ−ＲＳリンク（グループ）が定義される。この方式は、セミパーシステントＺＰ−ＣＳＩ−ＲＳ設定のような方式として解釈される。セミパーシステントＺＰ−ＣＳＩ−ＲＳは、実際に使用するＺＰ−ＣＳＩ−ＲＳリンク（グループ）を含むイネーブルシグナリングを受信したサブフレームからディセーブルシグナリングを受信したサブフレーム（又は、その前のサブフレーム）まで、指示されたリンクに該当するＺＰ−ＣＳＩ−ＲＳ  ＲＥパターンに対してレートマッチングを行うことを意味する。
【０２２５】
−  サブフレーム（又は、スロット）単位の柔軟性のために、ＤＣＩなどのＬ１シグナリングを介して、動的シグナリングとして用いるＺＰ−ＣＳＩ−ＲＳリンク（グループ）を端末に設定することができる。これは、定義されたレートマッチングセッティング内のリンク集合（又は、ＭＡＣシグナリングを介して絞られたリンクグループ）のうち、実際に使用するリンクを指定する方式によって行われる。
【０２２６】
非周期的ＺＰ−ＣＳＩ−ＲＳである場合、ＤＣＩが送信された該当サブフレームにおいて、指示されたリンクに該当するＺＰ−ＣＳＩ−ＲＳ  ＲＥパターンに対してレートマッチングを行うことを意味する。
【０２２７】
セミパーシステントＺＰ−ＣＳＩ−ＲＳである場合、ＤＣＩで送信されるシグナリングは、イネーブル／ディセーブルシグナリングとして解釈される。これは、ＤＣＩでイネーブルシグナリングを受信したサブフレームからディセーブルシグナリングを受信したサブフレームの前のサブフレームまで、指示されたリンクに該当するＺＰ−ＣＳＩ−ＲＳ  ＲＥパターンについてレートマッチングを行うことを意味する。
【０２２８】
２．「測定セッティング」ケース（図７に関連）
【０２２９】
−  ＺＰ−ＣＳＩ−ＲＳリンクを含む「測定セッティング」が、ＲＲＣなどの上位層シグナリングによって端末に設定されることができる。
【０２３０】
−  数十ｍｓ程度の柔軟性のために、ＭＡＣシグナリングで実際に使用するＺＰ−ＣＳＩ−ＲＳリンク（グループ）を定義することができる。これは、測定セッティングのうち、実際にＣＳＩ測定／ビーム管理に使用するリンクを選択することと同様な方式によって設定されることができる。
【０２３１】
このとき、ＺＰ−ＣＳＩ−ＲＳリンク（グループ）は、ＣＳＩ測定のための（例えば、リソースセッティング及び報告セッティングが含まれた）リンクを含むことができる。この場合、該当リンクは、報告セッティングには関係なく、指定されたリソースセッティングによるＺＰ−ＣＳＩ−ＲＳリンクとして解釈される。また、この方式は、セミパーシステントＺＰ−ＣＳＩ−ＲＳ設定のような方式として解釈される。セミパーシステントＺＰ−ＣＳＩ−ＲＳは、イネーブルシグナリングを受信したサブフレームからディセーブルシグナリングを受信したサブフレームの前のサブフレームまで、指示されたリンクに該当するＺＰ−ＣＳＩ−ＲＳ  ＲＥパターンに対してレートマッチングを行うことを意味する。
【０２３２】
−  サブフレーム（又は、スロット）単位の柔軟性のために、ＤＣＩなどのＬ１シグナリングを介して、動的シグナリングで端末に設定することができる。これは、定義されたレートマッチングセッティング内のリンク集合（又は、ＭＡＣシグナリングによって絞られたリンクグループ）のうち、実際に使用するリンクを指定する方式によって行われる。
【０２３３】
非周期的ＺＰ−ＣＳＩ−ＲＳである場合、ＤＣＩが送信された該当サブフレームにおいて、指示されたリンクに該当するＺＰ−ＣＳＩ−ＲＳ  ＲＥパターンに対してレートマッチングを行うことを意味する。
【０２３４】
セミパーシステントＺＰ−ＣＳＩ−ＲＳである場合、ＤＣＩで送信されるシグナリングは、イネーブル／ディセーブルシグナリングとして解釈される。これは、ＤＣＩでイネーブルシグナリングを受信したサブフレームからディセーブルシグナリングを受信したサブフレームの前のサブフレームまで、指示されたリンクに該当するＺＰ−ＣＳＩ−ＲＳ  ＲＥパターンに対してレートマッチングを行うことを意味する。
【０２３５】
３．「リソースセッティング」ケース（図８に関連）
【０２３６】
−  リソースセッティングに含まれた各リソース設定に、上述した１ビット指示子を含むことができる。
【０２３７】
−  数十ｍｓ程度の柔軟性のために、ＭＡＣシグナリングとしてＬ'ビットのＺＰ−ＣＳＩ−ＲＳ指示子を含むことができる。Ｌ'ビットＺＰ−ＣＳＩ−ＲＳ指示子の各ビットは、上述したリソースセッティング内のリソース設定（又は、リソース設定のうち、１ビット指示子が「レートマッチングｏｎ」状態であるリソース）と１対１でマッチングされ、該当ビットをｏｎ／ｏｆｆにすることで、該当リソースに該当するＲＥパターンにレートマッチングを行うか否かを端末にシグナリングすることができる。
【０２３８】
この方式は、セミパーシステントＺＰ−ＣＳＩ−ＲＳ設定のような方式として解釈されてもよい。セミパーシステントＺＰ−ＣＳＩ−ＲＳは、イネーブルシグナリングを受信したサブフレームからディセーブルシグナリングを受信したサブフレームの前のサブフレームまで、指示されたリンクに該当するＺＰ−ＣＳＩ−ＲＳ  ＲＥパターンに対してレートマッチングを行うことを意味する。
【０２３９】
−  サブフレーム（又は、スロット）単位の柔軟性のために、ＤＣＩなどのＬ１シグナリングによって「ＺＰ−ＣＳＩ−ＲＳ指示子」を端末に送信することができる。これは、上位層シグナリングを介して設定されたＺＰ−ＣＳＩ−ＲＳリソース（グループ）に該当するＲＥパターンを用いて、レートマッチングを行うか否かを端末に知らせることを意味する。
【０２４０】
非周期的ＺＰ−ＣＳＩ−ＲＳである場合、ＤＣＩが送信された該当サブフレームにおいて、指示されたリソース（又は、リソースグループ）に該当するＺＰ−ＣＳＩ−ＲＳ  ＲＥパターンに対してレートマッチングを行うことを意味する。
【０２４１】
セミパーシステントＺＰ−ＣＳＩ−ＲＳである場合、ＤＣＩで送信されるシグナリングは、イネーブル／ディセーブルシグナリングとして解釈される。これは、ＤＣＩでイネーブルシグナリングを受信したサブフレームからディセーブルシグナリングを受信したサブフレームの前のサブフレームまで、指示されたリソース（又は、リソースグループ）に該当するＺＰ−ＣＳＩ−ＲＳ  ＲＥパターンに対してレートマッチングを行うことを意味する。
【０２４２】
４．その他の設定
【０２４３】
−  周波数に関連する設定
【０２４４】
設定の柔軟性のために、周波数粒度（frequency granularity）を上位層シグナリングで設定する代わりに、ＭＡＣなどのＬ２シグナリングやＤＣＩなどのＬ１シグナリングを介して、端末に設定することができる。
【０２４５】
この場合、設定された周波数粒度は、該当ＺＰ−ＣＳＩ−ＲＳパターンの全体に対して同様に適用される。特に、１ビット指示子で部分帯域／広帯域のうちの１つに設定することができる。
【０２４６】
このとき、部分帯域は、ｅＭＢＢ（enhanced Mobile BroadBand）帯域のように、互いに異なるニューマロロジ（numerology）及び／又は異なる動作方式（例えば、ｅＭＢＢ、ｅＭＴＣ）を有する帯域（又は、帯域集合）である。
【０２４７】
或いは、部分帯域は、設定された帯域グループであってもよく、これは、上位層シグナリングを介した別途のシグナリングで設定されることができる。
【０２４８】
別途の周波数粒度に関する設定が与えられない場合、基地局及び端末は、上位層シグナリングに含まれた周波数粒度に従ってもよく、又はシグナリングオーバーヘッドを減らすために、該当端末は、スケジューリングされた全ての帯域に対してレートマッチングが行われると仮定して、データを送受信することができる。
【０２４９】
−  時間に関連する設定
【０２５０】
設定の柔軟性のために、タイミング特性（例えば、非周期的／セミパーシステント／周期的）、並びに／又は、セミパーシステント若しくは周期的である場合は周期及びオフセット、を上位層シグナリングで設定する代わりに、ＭＡＣなどのＬ２シグナリングやＤＣＩなどのＬ１シグナリングを介して端末に設定することができる。
【０２５１】
Ｌ１シグナリングは、ＰＤＳＣＨの割り当て／復調に関するシグナリングであるため、ＤＬ承認（ＤＬスケジューリング）と共にＤＬに関するＵＥ固有ＤＣＩで送信されることが好ましい。
【０２５２】
特に、ＬＴＥのようにＰＱＩ（PDSCH RE mapping and Quasi co-location Indicator）又はこれと類似するＤＣＩシグナリングが定義される場合、該当シグナリングを介してＬ１シグナリングが送信されることができる。この場合、周期的／セミパーシステントＲＭＲが設定され、該当ＲＭＲがＰＱＩのＲＭＲとして設定される場合、ＰＱＩで指定されたＲＭＲ時点と、周期／オフセットで定義される周期的／セミパーシステントＲＭＲの適用時点と、が一致した場合に限って、該当ＲＭＲに対してレートマッチングが行われることができる。このうち、セミパーシステントＲＭＲの場合は、別途のシグナリング／設定によって該当ＲＭＲがイネーブル（enable）された場合に限って、該当レートマッチング動作が行われることができる。非周期的ＲＭＲの場合、ＰＱＩで指定された時点で該当ＲＭＲに対してレートマッチングが行われることができる。
【０２５３】
セル全体又は特定ＵＥグループのためのレートマッチングシグナリングを送信するために、一種のセル固有及び／又はＵＥグループ固有ＤＣＩを用いることができる。即ち、ＤＣＩにレートマッチングシグナリングを含ませて送信することができる。図９は、セル固有及び／又はＵＥグループ固有ＤＣＩのペイロードを例示する。
【０２５４】
即ち、特定の長さを有するペイロードが所定数だけ連接する構造となり得る。各ペイロードの位置（又は、ペイロードインデックス）は、以下のような意味を有することができる。
【０２５５】
１．ＵＥ
【０２５６】
各ペイロードの位置（又は、ペイロードインデックス）は、特定ＵＥのための情報であってもよい。
【０２５７】
−  この場合、各ペイロードに送信されるコンテンツ（content）は、該当ペイロードに予め定義された、又はＲＲＣ／ＭＡＣシグナリングを介して設定された端末に対する動作に関するシグナリングを意味する。図１０は、各端末（ＵＥ）のためのペイロードが設定されたＤＣＩを例示する。例えば、ペイロード１がＵＥ１に結び付けられている（連結されている）（tied）とき、ペイロード１の位置に送信されるシグナリングは、ＵＥ１で行う動作（例えば、チャネル測定、干渉測定など）及び／又は該当動作を行う対象リソースをシグナリングすることができる。特に、シグナリングされる情報に「ｎｏ  ＲＳ」を指示するコンテンツを含ませて、該当端末が使用するリソースを指定せず、同時に他の端末がレートマッチングを行うリソースもないことをセル／ＵＥグループに知らせることができる。該当シグナリングは、セル固有又はＵＥグループ固有であってもよい。
【０２５８】
特に、ＵＥの指示は、ＤＭＲＳポート及び／又はシーケンススクランブルパラメータ（例えば、仮想セルＩＤなどの特定パラメータＩＤ及び／又はｎＳＣＩＤなどシーケンスシード（seed）ＩＤなど）の指示に切り替えられることができる。例えば、ＤＭＲＳポートで指示する場合、ペイロード１で指示する動作は、現在ＤＭＲＳポート７を用いる端末に対する動作であることを知らせることができる。このために、ＤＭＲＳポートが割り当てられなかった、換言すれば、スケジューリングされなかった端末のためのペイロードを別途に指定することができる。
【０２５９】
特に、各ＤＭＲＳポート及び／又はシーケンススクランブルパラメータが用いられる頻度を考慮して、複数のＤＭＲＳポート及び／又はシーケンススクランブルパラメータが１つのペイロードを使用することができる。この場合、該当ペイロードの状態は、該当ポート（及び／又はシーケンススクランブルパラメータ）グループ内のポート（及び／又はシーケンススクランブルパラメータ）（インデックス）及び動作が結合されて（combining）暗号化（jointly encode）されることができる。
【０２６０】
−  又は、各ペイロードは、リソース及び該当端末が行う動作を指示することができる。図１１は、ペイロードがリソース及びリソースにおける端末の動作を指示する例を示す。例えば、Ｎビットペイロードのうちの（Ｎ−１）ビットでリソースを端末に指示して、残りの１ビットで上記指示されたリソースで行う動作（例えば、チャネル測定、干渉測定など）を指示することができる。この場合、該当ペイロードに設定された端末は、指定されたリソースで指定された動作を行い、残りの端末は、「ｎｏ  ＲＳ」で指定されない全てのリソースに対してレートマッチングを行うことができる。
【０２６１】
−  又は、各ペイロードでリソースを指定することができる。図１２は、１つの端末のためのペイロードにおけるリソースを指示する例を示す。各端末は、「ｎｏ  ＲＳ」で指定されない全てのリソース（即ち、全体のペイロードで指定されたリソース和集合）に対してレートマッチングを行い、特に自体に該当するペイロードに送信されたシグナリングとして指定された動作を該当リソースに対して行う。該当シグナリングに対する動作は、予め上位層シグナリングで設定されることができる。
【０２６２】
２．リソース
【０２６３】
この場合、各位置は、予め定義された、又はＲＲＣ／ＭＡＣシグナリングを介して設定された時間−周波数（コード分割多重化された）リソースの位置を示す。図１３は、各リソースのためのペイロードが含まれたＤＣＩの例を示す。この場合、各ペイロードに送信されるシグナリングは、各リソースに対する端末の動作及び／又は該当動作を行う端末を意味する。例えば、ペイロード１がＣＳＩ−ＲＳリソース１に結び付けられている（tied）場合、ペイロード１の位置に送信されるシグナリングは、設定されたリソース１で行う動作（例えば、チャネル測定、干渉測定など）に対するシグナリングとなり得る。該当シグナリングは、セル固有又はＵＥグループ固有であってもよい。
【０２６４】
又は、各ペイロードは、該当ペイロードに結び付けられたリソースに対する動作及び該当動作を行う端末を指示することができる。図１４は、端末指示及び指示された端末のための動作を含む１つのリソースのためのペイロードを例示する。例えば、各ペイロードは、２ビットからなり、２ビットの各状態は「ｎｏ  ｍｅａｓｕｒｅｍｅｎｔ」、「ｃｈａｎｎｅｌ  ｍｅａｓｕｒｅｍｅｎｔ  ｆｏｒ  ＵＥ  １」、「ｃｈａｎｎｅｌ  ｍｅａｓｕｒｅｍｅｎｔ  ｆｏｒ  ＵＥ  ２」、「ｉｎｔｅｒｆｅｒｅｎｃｅ  ｍｅａｓｕｒｅｍｅｎｔ  ｆｏｒ  ＵＥ  １」などである。この場合、各端末に各状態の端末及び動作に対する上位層設定が与えられる。この場合、各端末は、「ｎｏ  ｍｅａｓｕｒｅｍｅｎｔ」ではない状態を指示する全てのリソースに対してレートマッチングを行うことができる。
【０２６５】
また、シグナリングされる状態中に「レートマッチング  ｏｎｌｙ」を追加して、該当ＤＣＩを受信する端末の別途の動作なく、該当リソースでレートマッチングのみを行うことができる。
【０２６６】
ＵＥシグナリングは、ＤＭＲＳポートシグナリング及び／又はシーケンススクランブルパラメータ（例えば、仮想セルＩＤなどの特定パラメータＩＤ及び／又はｎＳＣＩＤなどのシーケンスシードＩＤなど）に置き換えられることができる。例えば、ＤＭＲＳポートで指示する場合、ＵＥインデックスの代わりに「ＤＭＲＳポート７」を指示して、該当ペイロードが指示する動作は、現在「ＤＭＲＳポート７」を用いる端末に対する動作であることを知らせることができる。この場合、スケジューリングされない端末のために、ペイロードが指示する状態に「ｎｏｎ−ｓｃｈｅｄｕｌｅｄ  ＵＥ」を示す状態を含み、現在、ＤＭＲＳポートを受けて（提供されて）（provided）いない端末に対する動作をシグナリングすることができる。
【０２６７】
３．動作
【０２６８】
又は、各ペイロードは、端末が行う動作のみを指示することができる。図１５は、１つのリソースのためのペイロードであって、端末が行う動作を指示するＤＣＩを例示する。例えば、各ペイロードは、２ビットからなり、各状態は、「ｎｏ  ｍｅａｓｕｒｅｍｅｎｔ」、「ｃｈａｎｎｅｌ  ｍｅａｓｕｒｅｍｅｎｔ」、「ｉｎｔｅｒｆｅｒｅｎｃｅ  ｍｅａｓｕｒｅｍｅｎｔ」、「ｃｈａｎｎｅｌ  ａｎｄ  ｉｎｔｅｒｆｅｒｅｎｃｅ  ｍｅａｓｕｒｅｍｅｎｔ」などである。また、ペイロード１が非周期的ＣＳＩ−ＲＳリソース１に結び付けられるように設定されていて、ＵＥ１及びＵＥ２に非周期的ＣＳＩ−ＲＳリソース１をチャネル測定のために設定された場合、ペイロード１で「ｃｈａｎｎｅｌ  ｍｅａｓｕｒｅｍｅｎｔ」がシグナリングされると、ＵＥ１とＵＥ２とが同時にＣＳＩ−ＲＳリソース１に対してチャネル測定動作を行う。この場合、各端末には、動作とリソースとを結び付ける上位層設定が与えられる。
【０２６９】
また、シグナリングされる状態中に「レートマッチング  ｏｎｌｙ」を追加して、該当ＤＣＩを受信する端末は、別途の動作なく、該当リソースに対してレートマッチングのみを行うことができる。
【０２７０】
特に、各ペイロードは、ＲＳの送信／非送信のみを端末に知らせることができる。換言すれば、各ペイロードは、端末に予め設定されたリソース及び該当リソースにおける動作をトリガすることができる。例えば、ペイロード１が非周期的ＣＳＩ−ＲＳリソース１に結び付けられるように設定されていて、ＵＥ１は、非周期的ＣＳＩ−ＲＳリソース１に対してチャネル測定を、ＵＥ２は、非周期的ＣＳＩ−ＲＳリソース１に対して干渉測定を、行うように設定されている場合、ペイロード１に「測定」を意味するシグナリングが送信される場合、ＵＥ１は、そのリソースでチャネル測定を行い、ＵＥ２は、そのリソースで干渉測定を行う。この場合、リソースと該当リソースにおける動作との間の結び付けは、上位層シグナリングを介して端末に知らせることができる。図１６は、このようなペイロードを例示する。
【０２７１】
４．何の意味も持たない場合（Ｎｏ  ｍｅａｎｉｎｇ）
【０２７２】
この場合は、各ペイロードの位置（又は、インデックス）は、意味を持たない。各ペイロードにリソース指示／対象ＵＥ／動作の３つの内容を含むことができる。図１７は、これを例示する。端末は、リソース全体に対するレートマッチングを行う一方、自体を指定するペイロードが存在する場合、指示されるリソースで指示する動作を行う。この場合、端末のＤＣＩブラインド復号（blind decoding）の試み回数を減らすために、ペイロードの数は、予め定められるか、ＲＲＣ／ＭＡＣシグナリングなどの上位層シグナリングで端末に指定されることができる。
【０２７３】
この場合、上記リソース指示が「ｎｏ  ＲＳ」を指示する場合、該当ペイロードのＵＥ指示及びＵＥのための動作を端末が読み込まないことがある。この場合、上述のような方式によって、ＲＳ設定を除いたリソース／ＵＥ／動作を、設定及び／又はシグナリングすることができる。このとき、端末は、別途に設定されたＲＳに基づいて、上記設定されたリソース／動作に従って動作することができる。
【０２７４】
上述したＲＭ動作は、非周期的ＲＭとセミパーシステントＲＭ（イネーブル／ディセーブル）とを意味してもよい。より具体的には、「セミパーシステントＲＭ」の場合、上述のような特定ＤＣＩが受信される場合、上述した方法のうちの少なくとも１つを適用して、ＲＭ動作を該当時点及びその後（別のディセーブル又は更新するＤＣＩが受信されるまで）パーシステントに予め設定された周期による各機会（instance）に対して、いずれも該当ＲＭ動作を適用する。端末には、該当ＤＣＩを復号するのに用いるＲＮＴＩ（例えば、ＳＩ−ＲＮＴＩ又は別のＵＥグループＲＮＴＩ）が予め与えられ、端末は、該当ＲＮＴＩを用いて、セル固有ＤＣＩ／ＵＥグループ固有ＤＣＩに対するブラインド復号を試みることができる。又は、セミパーシステントＲＭをＭＡＣシグナリングで設定して、上述したＲＭ動作は、非周期的ＲＭのみに限定してもよい。
【０２７５】
端末の動作に関するシグナリングは、別のＵＥ固有ＤＣＩに含まれてもよい。換言すれば、このように、ＲＭシグナリングがセル固有ＤＣＩ／ＵＥグループ固有ＤＣＩを介して送信又は受信される場合、別のＵＥ固有ＤＣＩの１ビットシグナリングにより、上述したセル固有ＤＣＩ／ＵＥグループ固有ＤＣＩを介して指定されたリソースを非周期的ＮＺＰ  ＣＳＩ−ＲＳリソースとして認識して、測定又は非測定の動作を指示することができる。さらに、１ビットシグナリングは、非周期的ＮＺＰ  ＣＳＩ−ＲＳ指示とジョイント符号化（結合暗号化）（jointly encoding）又は統合されることができる。同様に、非周期的ＲＭシグナリングフィールドを１ビットに限定してＲＭ動作を指定することができ、セル固有ＤＣＩ／ＵＥグループ固有ＤＣＩで指定されたリソースをＲＭするように設定されてもよい。即ち、このような動作は、ＲＭ対象リソースを指示するシグナリングと実際にＲＭが可能か否かを指示するシグナリングとを、それぞれ、セル固有ＤＣＩ／ＵＥグループ固有ＤＣＩとＵＥ固有ＤＣＩとに分離するという意味を有する。セル固有ＤＣＩ／ＵＥグループ固有ＤＣＩで指定されたＲＭ対象リソースが無いか、受信されない場合、端末は、他の報告、例えば、周期的／セミパーシステント報告のために指定されたリソースに対して非周期的報告を行うことができる。
【０２７６】
１つのＤＣＩでマルチスロット（ショット）（multi-slot）に対してスケジューリングを行う場合、ＤＣＩで指定されたＲＭは、ＤＣＩでスケジューリングされたスロットに対して指定された方式で同様に行われることができる。この場合、別途のシグナリングオーバーヘッドを必要とすることなく、複数のスロットに対してＲＭを指示することができる。一方、この場合、多過ぎるリソースに対してＲＭを行う可能性があるため、これを避けるために、別途のシグナリングで、実際にＲＭを行うスロットタイミングを指定することができる。これは、ＤＣＩシグナリング時点に基づくスロットオフセットを、ＤＣＩで指定することができる。単一ＤＣＩでスケジューリングされるスロットグループ内において複数の時点でＲＭを指定しようとする場合、基地局が、予めＲＲＣ／ＭＡＣなどの上位層シグナリングで指定されたＲＭスロットパターンをＤＣＩで指定することができる。ＲＭスロットパターンは、単一のＤＣＩでスケジューリングされるスロットグループ内においてＲＭを行うスロットの集合であって、完全な柔軟性（full flexibility）のために、ビットマップで指定するか、又は周期及び／又はオフセットで指定されることができる。ＲＭスロットの指示は、シグナリングオーバーヘッドを減らすために、上述したＲＭシグナリングと結合して（combined）シグナリングされることができる。
【０２７７】
ＤＭＲＳの場合、追加ＤＭＲＳパターンに、ＲＭのためのＺＰ  ＣＳＩ−ＲＳを適用することが考えられる。全体の端末が共有するＤＭＲＳパターンとは別に、端末の環境（例えば、端末の速度などによるドップラ拡散（Doppler spread））によって、追加ＤＭＲＳを用いることができ、これは、従来のＤＭＲＳに追加のＤＭＲＳを送信する形態として用いられる。このようなＤＭＲＳパターンに対するＲＭは、干渉測定のために用いられてもよく、また、互いに異なる追加ＤＭＲＳパターンを用いる端末（同士）（例えば、追加ＤＭＲＳを用いる端末及び追加ＤＭＲＳを用いない端末）が、マルチ（多重）ユーザ（multi-user, multiple users）スケジューリングされる場合にも、ＤＭＲＳ検出への干渉を除去するために用いることができる。この場合、シグナリングオーバーヘッド減少のために、ＲＭのためのＺＰ  ＣＳＩ−ＲＳをＤＭＲＳに対して用いる場合は、その対象を追加ＤＭＲＳに限定してもよい。
【０２７８】
ＦＤＲ（Full Duplex Radio）のようなケースにおいて、互いに異なる端末がそれぞれＤＬ受信／ＵＬ送信を互いに同一のスロットで行うことができる。このような状況において、ＵＬ送信を行う端末が送信するＳＲＳを保護するために、ＳＲＳ位置をＲＭすることができる。このＳＲＳの場合、チャネル測定性能ために、一部の帯域に電力を集中して送信することができ、このようなＳＲＳ送信方式によって全帯域（又は、設定された帯域）チャネル測定を行うためにＳＲＳホッピングが考慮されてもよい。このようなＳＲＳホッピングを考慮して、ＲＭしようとするＳＲＳのホッピングパターン又はそれを決定するパラメータをさらに設定してもよい。
【０２７９】
ＲＲＣ／ＭＡＣシグナリングでイネーブル／ディセーブルされる（ＮＺＰ）ＣＳＩ−ＲＳに対して、特定の時点で該当ＣＳＩ−ＲＳの送信／測定をオフにする（mute）ために、ＣＳＩ−ＲＳミューティング（muting）シグナリングを送信することができる。これは、ＰＤＳＣＨのＲＭと同様に、端末がＮＺＰ  ＣＳＩ−ＲＳをシグナリングされたリソース（時間／周波数）に対して測定しないことであって、上述したＭＡＣ／ＲＲＣ設定を通じた周期的／セミパーシステントＮＺＰ  ＣＳＩ−ＲＳ及び／又はＩＭＲ（Interference Measurement Resource）にＤＣＩを通じた更なる柔軟性を与えることが目的である。このような方法により、特に、互いに重なって設定されたＮＺＰ  ＣＳＩ−ＲＳリソースを複数の端末が共有し、これは、同時に各端末がＣＳＩ−ＲＳリソースにおいて自体のチャネルを測定した後、該当チャネルを取り除き、残りを干渉として用いるための、（端末は、ＣＳＩ−ＲＳリソースにおいて自体のチャネルを測定して、残りのチャネルを干渉として用いることができる。）（And, a UE measures a channel of the UE from a CSI-RS resource, exclude the channel from the resource, and uses the remaining channels as interference using the method）即ち、この方法により、チャネル測定のためのリソースとＩＭＲとが重なって設定された状況下で、基地局は、各ＣＳＩ−ＲＳ／ＩＭＲ送信時点で互いに異なる干渉仮定（interference hypothesis）を端末に送信することができる。
【０２８０】
このために、重なるＮＺＰ  ＣＳＩ−ＲＳリソース位置に該当するＲＭシグナリングを与えることができる。この場合、従来、ＮＺＰ  ＣＳＩ−ＲＳリソースにおいてＰＤＳＣＨシンボルを送信しないことを意味するが、ＲＭシグナリングが重なるＮＺＰ  ＣＳＩ−ＲＳリソースの一部を指示又は設定する場合、ＮＺＰ  ＣＳＩ−ＲＳリソースを端末が測定しないことを意味してもよい。このために、ＤＣＩにＮＺＰ  ＣＳＩ−ＲＳリソースのためのＲＭシグナリングのためのフィールドを生成することができる。
【０２８１】
或いは、シグナリングオーバーヘッドを減らすために、非周期的ＣＳＩ−ＲＳ指示の状態のうちの１つとして、ＺＰ  ＣＳＩ−ＲＳを設定することができる。特に、非周期的ＮＺＰ  ＣＳＩ−ＲＳと異なる時間／周波数リソースに設定された周期的／セミパーシステントＮＺＰ  ＣＳＩ−ＲＳと同一のリソースを有するＺＰ  ＣＳＩ−ＲＳ、又は、これと同様に、該当リソースを測定しないことを意味するリソース設定を、非周期的ＣＳＩ−ＲＳ指示の状態のうちの１つに設定することができる（In particular, an aperiodic NZP CSI-RS, a periodic/semi-persistent NZP CSI-RS, a ZP-CSI-RS having the same resource, or a resource configuration indicating that a corresponding resource is not measured can be set to one of the states of the aperiodic CSI-RS indication）。よって、非周期的ＣＳＩ−ＲＳ指示状態を受信した端末は、周期的に測定及び報告していたＣＳＩに該当するスロットで送信されるＣＭＲ（Channel Measurement Resource）／ＩＭＲを用いずに、さらに、ＣＳＩを報告しないか、更新しないＣＳＩを報告することができる。
【０２８２】
或いは、非周期的ＣＳＩ−ＲＳ指示を受ける場合、該当スロットで送信される他のＣＭＲ／ＩＭＲ全体又は予め上位層設定されたＣＭＲ／ＩＭＲに対して、測定を行わないことと設定することができる。
【０２８３】
特に、ＮＺＰ  ＣＳＩ−ＲＳのうちの一部のみをＲＭしてもよい。これは、干渉測定のみのためには、ＮＺＰ  ＣＳＩ−ＲＳの送信が高い密度（high-density）である必要がなく、また、該当衝突リソースでチャネル推定を行う端末のチャネル推定性能を向上させるためである。
【０２８４】
さらに、図５乃至図８に関する説明において、１つのリンクに１つの報告セッティングが結び付けられると制限される場合、報告セッティングを指示する方式は、上述した「リンク」のシグナリング方式と同様であることは自明である。また、上述したＺＰ  ＣＳＩ−ＲＳは、ＲＭのためのリソースであって、上述のように、ＮＺＰ  ＣＳＩ−ＲＳやＺＰ  ＣＳＩ−ＲＳの他に、ＤＭＲＳなどの他種のＲＳ（又は、ＲＳリソース）を含むことができる。よって、ＺＰ  ＣＳＩ−ＲＳの代わりに、他の名称（例えば、ＲＭリソース（RM resource；ＲＭＲ））が考えられる。しかしながら、この場合にも、上記動作を同様に適用できることは自明である。
【０２８５】
他種のＰＤＳＣＨ、例えば、ブロードキャストＰＤＳＣＨには、該当ＲＭＲが適用されないことがある。（これは、）このようなブロードキャストＰＤＳＣＨは、システム動作に必須の情報を有する（include）ので、該当リソースの符号化率を保証することが好ましい。また、該当ブロードキャストＰＤＳＣＨの送信は、ＰＤＳＣＨリソース割り当てのためのＤＣＩとは別のＤＣＩで設定／指示されることができるため、この場合、ＲＭＲ  ＵＥ固有ＤＣＩで送信されるＲＭＲシグナリングを逃すと、該当ブロードキャストＰＤＳＣＨの復号が不可能となり得るため、結果として、レイテンシが増えることがある。よって、ブロードキャストＰＤＳＣＨに対しては、設定されたＲＭＲに対してレートマッチングが行われない可能性がある。或いは、一部の符号化率の損失を甘受して、他のリソースの測定を防ぐために、該当リソースは、パンクチャリング（puncturing）されることができる。
【０２８６】
ＤＣＩでＺＰ  ＣＳＩ−ＲＳをシグナリングする場合（特に、非周期的ＺＰ  ＣＳＩ−ＲＳの場合）、上述したＲＭ方式を用いると、ＤＣＩの受信に失敗したとき、該当サブフレーム全体を復号できなくなる。よって、端末と基地局とは、該当情報がＲＭのためではなくデータのＲＥパンクチャリングパターンを知らせるものとして約束することができる。即ち、基地局がデータのＲＥをマッピングするとき、ＺＰ  ＣＳＩ−ＲＳ  ＲＥでもデータを送信すると仮定して、ＲＥマッピングを行った後、最終送信時点において該当ＲＥでマッピングされたデータを実際に送信しない。また、端末は、このような送信動作を仮定して、データに対する復号を行う。結果として、端末は、ミューティングＲＥでは、データではなく、雑音、ダミー値が含まれていると仮定し、結果として、ミューティングＲＥでは、チャネル復号時にＬＬＲ（Log-Likelihood Ratio）計算を行わない。或いは、端末は、データビット０と１とを同一の確率（確立）（probability）と仮定して、ＬＬＲ計算を行うことができる。この場合、システム的には別のシグナリングが不要であり、端末は、ＤＣＩの受信に失敗した場合にも、チャネルコーディングのために、ある程度のデータの送信成功確率を持つことができる。
【０２８７】
特に、ＤＣＩ受信を伴わないデータ送受信（例えば、セミパーシステントスケジューリング（Semi-Persistent Scheduling；ＳＰＳ））などの場合、ＺＰ  ＣＳＩ−ＲＳ（特に、非周期的ＺＰ  ＣＳＩ−ＲＳ）を用いたＲＭ動作のために、各サブフレームにおいてＤＣＩにブラインド復号を試みることは、端末のバッテリ消耗の側面から好ましくない。よって、少なくともＳＰＳを用いたデータ送受信において、ＺＰ  ＣＳＩ−ＲＳパターンのうちのＤＣＩで与えられるＲＭシグナリングは、上述したＲＭパターンの代わりにパンクチャリングパターンとして、基地局及び端末が理解することができる。例えば、特定の端末に対するＳＰＳデータ送信のうち、基地局が非周期的ＣＳＩ−ＲＳなどによる非周期的ＺＰ  ＣＳＩ−ＲＳを用いてデータを送信しようとする場合、基地局は、ＳＰＳデータを受信する端末に対しては、当該ＺＰ  ＣＳＩ−ＲＳ  ＲＥパターンをＲＥミューティングパターンとして理解して、データを割り当てる。このとき、基地局は、別のＺＰ  ＣＳＩ−ＲＳ指示関連のＤＣＩを送信しない。このとき、ＲＲＣ又はＭＡＣシグナリングなどの上位層シグナリングを介して設定されたＺＰ  ＣＳＩ−ＲＳは、従来のようにＲＭ動作を行うことができる。換言すれば、ＳＰＳデータを送信する基地局及び受信する端末は、ＳＰＳデータの送受信中に予め設定された周期的（及び／又はセミパーシステント）ＺＰ  ＣＳＩ−ＲＳをＲＭするものの、基地局からの非周期的ＺＰ  ＣＳＩ−ＲＳは指示されないと仮定した上で動作することができる。
【０２８８】
本明細書で説明するＲＭＲは、基地局の（アナログ及び／又はデジタル）送信ビームによって設定が異なってもよい。例えば、図１８のように、ＰＤＳＣＨ送信のためにビーム１を用いるＵＥ２のためのＲＭＲ設定が与えられるとき、ビーム３を用いて送信されるＮＺＰ  ＣＳＩ−ＲＳの保護のためのＲＭＲは、ビーム１では設定される必要があるものの、ビーム３の送信に影響を及ぼさないビーム２を用いるＵＥ１には設定される必要がない。ＵＥ２がＵＥ１の位置に移動して、ＰＤＳＣＨの送信にビーム１の代わりにビーム２を用いる場合、同一のＲＭＲがＵＥ２のＰＤＳＣＨ  ＲＭに用いられることは好ましく（適合では）（preferable）ない。従来のＬＴＥのような環境では、送信（又は、受信）ビームの切り替えを準静的に行うことを仮定するため、ＲＲＣ設定として設定するＺＰ  ＣＳＩ−ＲＳで十分であったが、より動的なビーム変化を考慮しているＮｅｗ  ＲＡＴでは、従来の方式が不適切である（not appropriate）可能性がある。
【０２８９】
よって、端末には、複数のＲＭＲが基地局の送信ビームに関連付けられて（連係して）（associated）設定され、基地局／端末は、ＰＤＳＣＨ送信にある特定の送信ビームが用いられる場合、当該ビームに関連付けられたＲＭＲに対してＲＭを行ってデータを送受信するように定義することができる。送信ビームとＲＭＲとは、以下の方式によって関連付けられることができる。
【０２９０】
１．送信ビームインデックスへの関連付け
【０２９１】
−  基地局／端末間に送信ビーム及びそれによる送信ビームインデックスが共通して定義／設定される場合、各ＲＭＲには、送信ビームインデックスが設定され、特定のインデックスを有した送信ビームがＰＤＳＣＨ送信に用いられるとき、該当送信ビームインデックスに該当するＲＭＲを用いてＰＤＳＣＨ  ＲＭを行うことができる。逆に、各送信ビームインデックスによって互いに異なるＲＭＲが設定されてもよい。この場合、端末に、Ｌ１／Ｌ２シグナリングを介して現在用いるビームインデックスを知らせてもよい。
【０２９２】
−  同様に、送信ビーム−受信ビームのペア（対）（pair）リンクが定義される場合、送信ビームインデックスは、ビームペアリンクのインデックスに置き換えられることができる。
【０２９３】
２．ＣＲＩへの関連付け（CSI-RS resource indicator）
【０２９４】
−  ＮＺＰ  ＣＳＩ−ＲＳに送信ビームがＱＣＬ（Quasi-Co-Located）などのパラメータなどによって関連付けられている場合、「１．送信ビームインデックスへの関連付け」ケースの送信ビームがＮＺＰ  ＣＳＩ−ＲＳに置き換えられることができる。即ち、「送信ビーム」の代わりにＮＺＰ  ＣＳＩ−ＲＳが各ＲＭＲと関連付けられるのである。ＮＺＰ  ＣＳＩ−ＲＳは、ビーム管理などで送信ビームを反映するＲＳであって、特に、これは、ビーム管理ステップにおいて報告されたＣＲＩに関連する方式によって用いられることができる。この方式は、明示的に送信ビームに関連付けられることよりも、よりＵＥトランスペアレント（透明）（transparent）に動作することができる。
【０２９５】
−  ＱＣＬパラメータが用いられる場合、該当ＱＣＬパラメータは、空間（spatial）ＱＣＬ部分、即ち、到来角（到着角度）（arrival angle）及び／又は角度広がり（拡散）（angle spread）に限定することができる。
【０２９６】
上述した方式は、いずれも、各送信ビーム（又は、それに準するパラメータ）とＲＭＲとが１対１でマッピングされる必要はない。即ち、１つのＲＭＲが互いに異なる送信ビームに同時に関連付けられ、１つの送信ビームが複数のＲＭＲに関連付けられることができる。また、送信ビームの代わりに、ＲＭＲのための送信ビームグループ（例えば、セルセンタ（中心）ビームグループ／セルエッジ（edge）ビームグループ）が定義され、ＲＭＲが該当ＲＭＲのための送信ビームグループに従って設定されることができる。このような設定は、ＲＭＲのリソースセッティングに含まれ得る。及び／又は、別のＭＡＣ／ＤＣＩシグナリングを念頭に置く場合、ＲＭセッティング及び／又は測定セッティングにおいて、ビームインデックス又はそれに関連するパラメータに応じて、互いに異なるリンク、換言すれば、複数のＲＭＲグループが定義されてもよい。また、送信ビーム−ＲＭＲの関連付けは、ＲＲＣ／ＭＡＣシグナリングに含まれてもよい。
【０２９７】
−スロットにおいて複数の送信ビームがデータ送信に用いられる場合、端末は、該当スロットにおいて送信ビームが変わる単位（例えば、シンボル）で、互いに異なるＲＭＲを適用することができる。換言すれば、スロット内の７個のシンボルごとにデータ送信に用いられる送信ビームが異なる場合、前半７個のシンボルと後半７個のシンボルとで用いられるＲＭＲパターンは、互いに異なってもよい。或いは、複雑度を減らすために、データ送信に用いられる複数の送信ビームに該当する全てのＲＭＲの和集合に該当するＲＭＲを、該当スロットのＲＭＲとして用いることができる。
【０２９８】
このような方式は、別の動的シグナリングが用いられないため、ＤＣＩに比べて長いレイテンシ（latency）が期待される周期的／セミパーシステントＲＭＲなどの設定において特に有用である。非周期的／セミパーシステントＲＭＲでは、各シグナリングで指定可能なＲＭＲ候補が送信ビーム（又は、送信ビームグループ）によって定められる形式になり得る。この場合、ＲＭＲ候補のシグナリングに該当送信ビームに関する情報が含まれてもよい。ＲＭＲ候補が十分に少ない場合には、該当送信ビームに関連付けられる方式を省略して、各時点においてそれに適するＲＭＲをＭＡＣ及び／又はＤＣＩシグナリングで選択／送信する動作に切り替えることができる。
【０２９９】
図１９は、本発明を行う送信装置１０及び受信装置２０の構成要素を示すブロック図である。送信装置１０及び受信装置２０は、情報及び／又はデータ、信号、メッセージなどを運ぶ無線信号を送信又は受信できる送信器／受信器１３，２３と、無線通信システムにおける通信と関連する各種情報を記憶するメモリ１２，２２と、送信器／受信器１３，２３及びメモリ１２，２２などの構成要素と動作的に結び付けられ、上記請求項の要素を制御して、該当の装置が前述の本発明の実施例のうちの少なくとも一つを実行するようにメモリ１２，２２及び／又は送信器／受信器１３，２３を制御するように構成されたプロセッサ１１，２１と、をそれぞれ備える。
【０３００】
メモリ１２，２２は、プロセッサ１１，２１の処理及び制御のためのプログラムを記憶（格納）する（store）ことができ、入／出力される情報を一時的に（臨時）（temporarily）記憶することができる。メモリ１２，２２は、バッファとして活用されてもよい。プロセッサ１１，２１は、通常、送信装置又は受信装置における各種モジュールの動作全般を制御する。特に、プロセッサ１１，２１は、本発明を実行するための各種制御機能を果たすことができる。プロセッサ１１，２１は、コントローラ（controller）、マイクロコントローラ（microcontroller）、マイクロプロセッサ（microprocessor）、マイクロコンピュータ（microcomputer）などと呼ぶことができる。プロセッサ１１，２１は、ハードウェア（hardware）、ファームウェア（firmware）、ソフトウェア、又はそれらの結合（組み合わせ）（combination）によって具現することができる。ハードウェアを用いて本発明を具現する場合には、本発明を実行するように構成されたＡＳＩＣｓ（Application Specific Integrated Circuits）、ＤＳＰｓ（Digital Signal Processors）、ＤＳＰＤｓ（Digital Signal Processing Devices）、ＰＬＤｓ（Programmable Logic Devices）、又はＦＰＧＡｓ（Field Programmable Gate Arrays）などをプロセッサ１１，２１に備えることができる。一方、ファームウェアやソフトウェアを用いて本発明を具現する場合には、本発明の機能又は動作を実行するモジュール、手順又は関数などを含むようにファームウェアやソフトウェアを構成することができ、本発明を実行できるように構成されたファームウェア又はソフトウェアは、プロセッサ１１，２１内に設けられたりメモリ１２，２２に記憶されてプロセッサ１１，２１によって駆動されるようにすることができる。
【０３０１】
送信装置１０におけるプロセッサ１１は、プロセッサ１１又はプロセッサ１１に接続しているスケジューラからスケジューリングされて外部に送信される信号及び／又はデータに対して、所定の符号化（coding）及び変調（modulation）を行った後、送信器／受信器１３に送信する。例えば、プロセッサ１１は、送信しようとするデータ列を逆多重化、チャネル符号化、スクランブル及び変調などを行って、Ｋ個のレイヤに変換する。符号化されたデータ列は、コードワードとも呼ばれ、ＭＡＣ層が提供するデータブロックであるトランスポートブロックと等価である。１つのトランスポートブロック（Transport Block、ＴＢ）は、１つのコードワードに符号化され、各コードワードは、一つ又は複数のレイヤの形態で受信装置に送信される。周波数アップコンバートのために、送信器／受信器１３は、オシレータ（oscillator）を含むことができる。送信器／受信器１３は、Ｎt個（Ｎtは１以上の正の整数）の送信アンテナを含むことができる。
【０３０２】
受信装置２０の信号処理過程は、送信装置１０の信号処理過程の逆となる。プロセッサ２１の制御下で、受信装置２０の送信器／受信器２３は、送信装置１０から送信された無線信号を受信する。送信器／受信器２３は、Ｎr個の受信アンテナを含むことができ、送信器／受信器２３は、受信アンテナから受信した信号のそれぞれを周波数ダウンコンバートして（frequency down-convert）ベースバンド（基底帯域）（baseband）信号に復元する。送信器／受信器２３は、周波数ダウンコンバートのためにオシレータを含むことができる。プロセッサ２１は、受信アンテナから受信した無線信号に対する復号（decoding）及び復調（demodulation）を行い、送信装置１０が本来送信しようとしたデータに復元することができる。
【０３０３】
送信器／受信器１３，２３は、一つ又は複数のアンテナを具備する。アンテナは、プロセッサ１１，２１の制御下で、本発明の一実施例によって、送信器／受信器１３，２３で処理された信号を外部に送信したり、外部から無線信号を受信して送信器／受信器１３，２３に伝達する機能を果たす。アンテナは、アンテナポートと呼ばれることもある。各アンテナは、一つの物理アンテナに該当したり、２以上の物理アンテナ要素（element）の組合せによって構成されてもよい。各アンテナから送信された信号は、受信装置２０によってそれ以上分解されることはない。当該アンテナに対応して送信された参照信号（Reference Signal、ＲＳ）は、受信装置２０の観点で見たアンテナを定義し、チャネルが１つの物理アンテナからの単一（single）無線チャネルであるか、或いは当該アンテナを含む複数の物理アンテナ要素（element）からの合成（composite）チャネルであるかに関係なく、受信装置２０による当該アンテナに対するチャネル推定を可能にする。即ち、アンテナは、該アンテナ上のシンボルを伝達するチャネルが、同一アンテナ上の他のシンボルが伝達される上記チャネルから導出されるように定義される。複数のアンテナを用いてデータを送受信する多入力多出力（Multi-Input Multi-Output、ＭＩＭＯ）機能をサポートする送受信ユニットの場合は、２個以上のアンテナに接続されてもよい。
【０３０４】
本発明の実施例において、端末又はＵＥは、上りリンクでは送信装置１０として動作して、下りリンクでは受信装置２０として動作する。本発明の実施例において、基地局又はｅＮＢは、上りリンクでは受信装置２０として動作して、下りリンクでは送信装置１０として動作する。
【０３０５】
上記送信装置及び／又は上記受信装置は、上述した本発明の実施例のうちの少なくとも１つ又は２つ以上の実施例の組み合わせを行うことができる。
【０３０６】
このような提案の組み合わせの１つであって、無線通信システムにおいて下りリンク信号を復号する端末が提案される。この端末は、送信器及び受信器と、上記送信器及び受信器を制御するように構成されたプロセッサと、を含む。上記プロセッサは、上記受信器を通じて基地局から反復周期を有するレートマッチングリソースを指示するレートマッチングパターン情報を受信し、上記レートマッチングパターン情報を用いて下りリンク共有チャネルを復号することができる。
【０３０７】
また、上記レートマッチングパターンに関する情報は、周波数リソース領域を指示する第１のビットマップ及び時間リソース領域を指示する第２のビットマップを含み、上記反復周期内の複数の時間ユニット（unit）のうち、上記第１のビットマップ及び上記第２のビットマップで指示されたレートマッチングパターンが設定される１つ又は複数の時間ユニットを指示する第３のビットマップを有することができる。
【０３０８】
また、上記端末は、上記レートマッチングリソースに対してレートマッチングを行うことができる。
【０３０９】
また、上記第２のビットマップは、予め決定されたリソース単位内の連続したシンボルのそれぞれを指示することができる。
【０３１０】
上記レートマッチングパターン情報は、上記下りリンク共有チャネルのための領域でのみ用いられることができる。
【０３１１】
また、上記下りリンク共有チャネルのための領域は、下りリンク共有チャネルの開始シンボル又は終了シンボルを指示する信号によって設定されることができる。
【０３１２】
以上開示した本発明の好適な実施形態に関する詳細な説明は、当業者が本発明を具現して実施できるように提供された。以上では、本発明の好適な実施形態を参照して説明したが、当該技術の分野における熟練した当業者にとっては、上述の説明から本発明を様々に修正及び変更可能であるということが理解できる。したがって、本発明は、ここに開示した実施形態に制限されるものではなく、ここに開示した原理及び新規な特徴と一致する最も広い範囲を与えるものである。
【産業上の利用可能性】
【０３１３】
本発明は、端末、リレー、基地局などの無線通信装置に用いられることができる。
【図１】
0006878603.tif 000024
【図２】
0006878603.tif 000025
【図３】
0006878603.tif 000026
【図４】
0006878603.tif 000027
【図５】
0006878603.tif 000028
【図６】
0006878603.tif 000029
【図７】
0006878603.tif 000030
【図８】
0006878603.tif 000031
【図９】
0006878603.tif 000032
【図１０】
0006878603.tif 000033
【図１１】
0006878603.tif 000034
【図１２】
0006878603.tif 000035
【図１３】
0006878603.tif 000036
【図１４（ａ）】
0006878603.tif 000037
【図１４（ｂ）】
0006878603.tif 000038
【図１５】
0006878603.tif 000039
【図１６】
0006878603.tif 000040
【図１７】
0006878603.tif 000041
【図１８】
0006878603.tif 000042
【図１９】
0006878603.tif 000043
【図２０】
0006878603.tif 000044
【図２１】
0006878603.tif 000045
【図２２】
0006878603.tif 000046
【図２３】
0006878603.tif 000047
【図２４】
0006878603.tif 000048
【図２５】
0006878603.tif 000049
【図２６】
0006878603.tif 000050
【図２７】
0006878603.tif 000051